(57)【要約】【課題】動作環境の変動等による発光装置の温度変化に伴う駆動トランジスタの特性変動を補償することができる発光装置及びその駆動制御方法を提供する。【解決手段】有機ＥＬ表示装置１は、表示パネル２と、セレクトドライバ３と、電源ドライバ４と、データドライバ５と、システムコントローラ６と、電流計７とを有し、表示パネル２は、画素駆動回路２０Ｄを有する表示画素２０と画素駆動回路２１Ｄを有するダミー画素２１とを備え、これらを制御して、ダミー画素２１の画素駆動回路２１Ｄの駆動トランジスタＴ２２の特性値を取得し、取得した特性値に基づいて表示パネル２の表示画素２０を画像データに対応した輝度で発光させることができるように階調電圧を補正する。【選択図】図１
2012141456.tif 000002
【特許請求の範囲】
【請求項１】
発光素子と該発光素子に駆動電流を供給する駆動トランジスタを有する画素駆動回路とを備える少なくとも一つの発光画素と、
前記画素駆動回路を備えて前記発光画素に隣接して設けられた少なくとも一つのダミー画素と、
前記表示画素及び前記ダミー画素を選択状態とするセレクトドライバと、
データラインを介して前記ダミー画素に設定電圧を印加するデータドライバと、
前記ダミー画素のみに接続され、前記セレクトドライバにより前記ダミー画素が選択状態とされ、前記データドライバより前記データラインを介して前記ダミー画素に前記設定電圧が印加されたときに前記ダミー画素の前記駆動トランジスタの電流路に流れる電流の電流値を測定する電流計と、
前記設定電圧の電圧値と前記電流値とから前記ダミー画素の前記駆動トランジスタの特性値を取得し、予め画像データの階調値に対して設定された階調電圧の値を前記特性値に応じた値に補正した補正階調電圧を導出する補正階調電圧導出部と、
を備えることを特徴とする発光装置。
【請求項２】
前記特性値は、前記ダミー画素の前記駆動トランジスタの電流増幅率と閾値電圧であることを特徴とする請求項１に記載の発光装置。
【請求項３】
前記データドライバは、前記補正階調電圧導出部が導出した前記補正階調電圧の値に基づいて、外部から供給される画像データに応じた電圧データを補正した補正電圧データを生成する補正演算部を備えることを特徴とする請求項１又は２に記載の発光装置。
【請求項４】
前記発光画素と前記ダミー画素とを複数有し、
複数の前記発光画素は複数の行及び複数の列に沿って２次元配列され、
複数の前記ダミー画素は、２次元配列された前記複数の発光画素の周囲における、前記複数の発光画素の少なくとも１つの行又は少なくとも１つの列に沿った位置に配設され、
前記電流計は前記複数のダミー画素に共通に接続されていることを特徴とする請求項３に記載の発光装置。
【請求項５】
前記電流計は、前記複数のダミー画素の各々の前記駆動トランジスタの電流路に流れる電流の総和の電流値を測定し、
前記補正演算部は、前記補正電圧データ電圧を、前記複数の発光画素の全てに対する共通の値として生成することを特徴とする請求項４に記載の発光装置。
【請求項６】
前記電流計は、前記複数のダミー画素の各々の前記駆動トランジスタの電流路に流れる電流に流れる電流の電流値を測定し、
前記補正演算部は、前記補正電圧データ電圧を、前記各ダミー画素に対して測定した前記電流値に基づいて、該各ダミー画素に対応する行又は列に配設された前記各発光画素に対する値として生成することを特徴とする請求項４に記載の発光装置。
【請求項７】
前記電流計は、第１のタイミングで前記ダミー画素に前記設定電圧を印加したときに前記ダミー画素の前記駆動トランジスタの電流路に流れる初動電流の電流値と、前記第１のタイミング後に所定の動作時間が経過した後の第２のタイミングで前記ダミー画素に前記設定電圧を印加したときに前記ダミー画素の前記駆動トランジスタの電流路に流れる検定電流の電流値と、を測定し、
前記補正階調電圧導出部は、前記初動電流の電流値に基づいて、前記第１のタイミングにおける前記ダミー画素の前記駆動トランジスタの第１の特性値を取得し、測定された前記検定電流の電流値に基づいて第２のタイミングにおける前記ダミー画素の前記駆動トランジスタの第２の特性値を取得し、前記第１の特性値と前記第２の特性値とに基づいて、予め前記第１のタイミングにおいて画像データの階調値に対して設定された階調電圧の値を補正して、前記第２のタイミングに対応した前記補正階調電圧を導出することを特徴とする請求項１乃至６のいずれか１項に記載の発光装置。
【請求項８】
前記第１のタイミングは、前記発光装置の電源投入後の動作開始時のタイミングであることを特徴とする請求項７に記載の発光装置。
【請求項９】
発光装置の駆動制御方法であって、
発光素子と該発光素子に駆動電流を供給する駆動トランジスタを有する画素駆動回路とを備える少なくとも一つの発光画素と、前記画素駆動回路を備えて前記発光画素に隣接して設けられた少なくとも一つのダミー画素と、前記表示画素及び前記ダミー画素を選択状態とするセレクトドライバと、データラインを介して前記ダミー画素に設定電圧を印加するデータドライバと、前記ダミー画素のみに接続された電流計と、を備える前記発光装置を準備する準備ステップと、
前記セレクトドライバにより前記ダミー画素を選択状態とする選択ステップと、
前記データドライバより前記データラインを介して前記ダミー画素に前記設定電圧を印加したときに前記ダミー画素の前記駆動トランジスタの電流路に流れる電流の電流値を前記電流計により測定する電流測定ステップと、
前記設定電圧の電圧値と前記電流値とから前記ダミー画素の前記駆動トランジスタの特性値を取得する特性値取得ステップと、
予め画像データの階調値に対して設定された階調電圧の値を前記特性値に応じた値に補正した補正階調電圧を導出する補正階調電圧導出ステップと、
を含むことを特徴とする発光装置の駆動制御方法。
【請求項１０】
前記特性値取得ステップは、前記特性値として、前記ダミー画素の前記駆動トランジスタの電流増幅率と閾値電圧を取得することを特徴とする請求項９に記載の発光装置の駆動制御方法。
【請求項１１】
前記データドライバにより、前記補正階調電圧の値に基づいて、外部から供給される画像データに応じた電圧データを補正した補正電圧データを生成する補正演算ステップを含むことを特徴とする請求項９に記載の発光装置の駆動制御方法。
【請求項１２】
前記電流測定ステップは、第１のタイミングで前記ダミー画素に前記設定電圧を印加したときに前記ダミー画素の前記駆動トランジスタの電流路に流れる初動電流の電流値を測定する初動電流測定ステップと、前記第１のタイミング後に所定の動作時間が経過した後の第２のタイミングで前記ダミー画素に前記設定電圧を印加したときに前記ダミー画素の前記駆動トランジスタの電流路に流れる検定電流の電流値を測定する検定電流測定ステップと、を含み、
前記補正階調電圧導出ステップは、前記初動電流の電流値に基づいて、前記第１のタイミングにおける前記ダミー画素の前記駆動トランジスタの第１の特性値を取得する第１の特性値取得ステップと、測定された前記検定電流の電流値に基づいて第２のタイミングにおける前記ダミー画素の前記駆動トランジスタの第２の特性値を取得する第２の特性値取得ステップと、前記第１の特性値と前記第２の特性値とに基づいて、予め前記第１のタイミングにおいて画像データの階調値に対して設定された階調電圧の値を補正して、前記第２のタイミングに対応した前記補正階調電圧を導出する補正ステップと、
を含むことを特徴とする請求項９に記載の発光装置の駆動制御方法。
【請求項１３】
請求項１乃至８の何れか１項に記載の発光装置が実装されてなることを特徴とする電子機器。
【発明の詳細な説明】
【技術分野】
【０００１】
本発明は、発光装置及びその駆動制御方法並びに電子機器に関し、特に、画素に発光素子を備える発光装置及びその駆動制御方法、並びに該発光装置を実装した電子機器に関するものである。
【背景技術】
【０００２】
従来、有機ＥＬ素子、無機ＥＬ素子、ＬＥＤ等のように光学要素として発光素子を有する複数の画素がマトリクス（行列）状に配列されて、各発光素子が発光することによって表示を行う発光素子型ディスプレイ（発光装置）が知られている。
【０００３】
特に、アクティブマトリクス駆動方式の発光素子型ディスプレイは、高輝度、高コントラスト、高精細、低電力等の点で、優位性を有しており、特に、有機ＥＬ素子が注目されている。
【０００４】
有機ＥＬ素子を画素に有する発光装置として、有機ＥＬ素子を駆動するための駆動トランジスタを含む複数のトランジスタを備える画素駆動回路を各画素に備え、供給された画像データの輝度が得られるように、有機ＥＬ素子に供給する電流の電流値を制御するアクティブマトリクス駆動方式の有機ＥＬ表示装置がある。
【０００５】
このような表示装置においては、周囲の動作環境の変動や表示装置の動作状態並びに動作履歴に伴って各画素が備える駆動トランジスタの特性が変動することで、表示品質が低下することがある。すなわち、駆動履歴においては、表示装置の駆動時間の経過に伴って各画素の駆動トランジスタの閾値電圧が変動することがある。また、動作状態においては、例えば、表示装置は、使用開始時点では室温であるが、開始後、駆動トランジスタや有機ＥＬ素子に電流が流れることに伴って温度が上昇することがある。さらに、例えば動作環境に温度変化があると、その影響を受けて表示装置の温度も変動することがある。このような温度変化に伴って、各画素の駆動トランジスタの特性が変動する。各画素の駆動トランジスタの特性の変動により、同一の階調電圧を画素に印加した場合でも、有機ＥＬ素子に流れる電流が変化し、発光輝度が変動し、ひいては、表示品質が低下してしまう。
【０００６】
このような問題に関連して、各画素の画素駆動回路を構成する駆動トランジスタの駆動履歴に伴う特性変動を検出し、これを補償するように駆動して表示品位の低下を抑制する技術が特許文献１に提案されている。
【先行技術文献】
【特許文献】
【０００７】
【特許文献１】特開２００４−２５２１１０号公報
【発明の概要】
【発明が解決しようとする課題】
【０００８】
特許文献１に記載の手法は、駆動トランジスタの特性の駆動履歴に伴う特性変動の補償には有効であるものの、各画素の駆動トランジスタの特性値の検出に比較的長い時間を要するため、表示動作中に実行することはできない。このため、周囲の動作環境の変化や表示装置の動作状態による表示装置の温度変動等に伴う画素駆動回路の駆動トランジスタの特性の時間的な変動による発光輝度の変動に対応することは困難である。
そのため、動作環境の変化等による表示装置の温度変動等に伴う画素駆動回路の駆動トランジスタの特性の変動を補償して、高品質の画像を表示することができる表示装置が望まれている。
【０００９】
本発明は、このような従来の問題点に鑑みてなされたもので、動作環境の変動等による発光装置の温度変化に伴う駆動トランジスタの特性変動を補償することができる発光装置及びその駆動制御方法、並びに、該発光装置を実装した電子機器を提供することを目的とする。
【課題を解決するための手段】
【００１０】
本発明の第１の観点に係る発光装置は、
発光素子と該発光素子に駆動電流を供給する駆動トランジスタを有する画素駆動回路とを備える少なくとも一つの発光画素と、
前記画素駆動回路を備えて前記発光画素に隣接して設けられた少なくとも一つのダミー画素と、
前記表示画素及び前記ダミー画素を選択状態とするセレクトドライバと、
データラインを介して前記ダミー画素に設定電圧を印加するデータドライバと、
前記ダミー画素のみに接続され、前記セレクトドライバにより前記ダミー画素が選択状態とされ、前記データドライバより前記データラインを介して前記ダミー画素に前記設定電圧が印加されたときに前記ダミー画素の前記駆動トランジスタの電流路に流れる電流の電流値を測定する電流計と、
前記設定電圧の電圧値と前記電流値とから前記ダミー画素の前記駆動トランジスタの特性値を取得し、予め画像データの階調値に対して設定された階調電圧の値を前記特性値に応じた値に補正した補正階調電圧を導出する補正階調電圧導出部と、
を備えることを特徴とする。
【００１１】
前記特性値は、例えば、前記ダミー画素の前記駆動トランジスタの電流増幅率と閾値電圧である。
例えば、前記データドライバは、前記補正階調電圧導出部が導出した前記補正階調電圧の値に基づいて、外部から供給される画像データに応じた電圧データを補正した補正電圧データを生成する補正演算部を備える。
【００１２】
前記発光画素と前記ダミー画素とが複数配置され、複数の前記発光画素は複数の行及び複数の列に沿って２次元配列され、複数の前記ダミー画素は、２次元配列された前記複数の発光画素の周囲における、前記複数の発光画素の少なくとも１つの行又は少なくとも１つの列に沿った位置に配設され、前記電流計は前記複数のダミー画素に共通に接続されているように構成されてもよい。
【００１３】
例えば、前記電流計は、前記複数のダミー画素の各々の前記駆動トランジスタの電流路に流れる電流の総和の電流値を測定し、前記補正演算部は、前記補正電圧データ電圧を、前記複数の発光画素の全てに対する共通の値として生成する。
【００１４】
例えば、前記電流計は、前記複数のダミー画素の各々の前記駆動トランジスタの電流路に流れる電流に流れる電流の電流値を測定し、前記補正演算部は、前記補正電圧データ電圧を、前記各ダミー画素に対して測定した前記電流値に基づいて、該各ダミー画素に対応する行又は列に配設された前記各発光画素に対する値として生成する。
【００１５】
例えば、前記電流計は、第１のタイミングで前記ダミー画素に前記設定電圧を印加したときに前記ダミー画素の前記駆動トランジスタの電流路に流れる初動電流の電流値と、前記第１のタイミング後に所定の動作時間が経過した後の第２のタイミングで前記ダミー画素に前記設定電圧を印加したときに前記ダミー画素の前記駆動トランジスタの電流路に流れる検定電流の電流値と、を測定し、前記補正階調電圧導出部は、前記初動電流の電流値に基づいて、前記第１のタイミングにおける前記ダミー画素の前記駆動トランジスタの第１の特性値を取得し、測定された前記検定電流の電流値に基づいて第２のタイミングにおける前記ダミー画素の前記駆動トランジスタの第２の特性値を取得し、前記第１の特性値と前記第２の特性値とに基づいて、予め前記第１のタイミングにおいて画像データの階調値に対して設定された階調電圧の値を補正して、前記第２のタイミングに対応した前記補正階調電圧を導出する。
【００１６】
例えば、前記第１のタイミングは、前記発光装置の電源投入後の動作開始時のタイミングである。
【００１７】
本発明の第２の観点に係る発光装置の駆動制御方法は、
発光素子と該発光素子に駆動電流を供給する駆動トランジスタを有する画素駆動回路とを備える少なくとも一つの発光画素と、前記画素駆動回路を備えて前記発光画素に隣接して設けられた少なくとも一つのダミー画素と、前記表示画素及び前記ダミー画素を選択状態とするセレクトドライバと、データラインを介して前記ダミー画素に設定電圧を印加するデータドライバと、前記ダミー画素のみに接続された電流計と、を備える前記発光装置を準備する準備ステップと、
前記セレクトドライバにより前記ダミー画素を選択状態とする選択ステップと、
前記データドライバより前記データラインを介して前記ダミー画素に前記設定電圧を印加したときに前記ダミー画素の前記駆動トランジスタの電流路に流れる電流の電流値を前記電流計により測定する電流測定ステップと、
前記設定電圧の電圧値と前記電流値とから前記ダミー画素の前記駆動トランジスタの特性値を取得する特性値取得ステップと、
予め画像データの階調値に対して設定された階調電圧の値を前記特性値に応じた値に補正した補正階調電圧を導出する補正階調電圧導出ステップと、
を含むことを特徴とする。
【００１８】
前記特性値取得ステップは、例えば、前記特性値として、前記ダミー画素の前記駆動トランジスタの電流増幅率と閾値電圧を取得する。
【００１９】
前記データドライバにより、前記補正階調電圧の値に基づいて、外部から供給される画像データに応じた電圧データを補正した補正電圧データを生成する補正演算ステップを含んでもよい。
【００２０】
例えば、前記電流測定ステップは、第１のタイミングで前記ダミー画素に前記設定電圧を印加したときに前記ダミー画素の前記駆動トランジスタの電流路に流れる初動電流の電流値を測定する初動電流測定ステップと、前記第１のタイミング後に所定の動作時間が経過した後の第２のタイミングで前記ダミー画素に前記設定電圧を印加したときに前記ダミー画素の前記駆動トランジスタの電流路に流れる検定電流の電流値を測定する検定電流測定ステップと、を含み、前記補正階調電圧導出ステップは、前記初動電流の電流値に基づいて、前記第１のタイミングにおける前記ダミー画素の前記駆動トランジスタの第１の特性値を取得する第１の特性値取得ステップと、測定された前記検定電流の電流値に基づいて第２のタイミングにおける前記ダミー画素の前記駆動トランジスタの第２の特性値を取得する第２の特性値取得ステップと、前記第１の特性値と前記第２の特性値とに基づいて、予め前記第１のタイミングにおいて画像データの階調値に対して設定された階調電圧の値を補正して、前記第２のタイミングに対応した前記補正階調電圧を導出する補正ステップと、を含む。
【００２１】
本発明の第３の観点に係る電子機器は、
上記発光装置のいずれかが実装されてなることを特徴とする。
【発明の効果】
【００２２】
本発明によれば、温度変動等の動作環境の変動による発光素子の発光輝度の変動を補償することが可能となる。
また、本発明によれば、使用等による画素駆動回路の特性変化による発光素子の発光輝度の変動を特性変化量に基づいて補償することが可能となる。
【図面の簡単な説明】
【００２３】
【図１】本発明の第１の実施形態における有機ＥＬ表示装置の構成の一例を示す図である。
【図２】セレクトラインに順次出力される走査信号と電源ラインに順次出力される電圧の一例を示す図である。
【図３】本発明のデータドライバの構成の一例を示す図である。
【図４】階調値と階調電圧の関係の一例を示す図である。
【図５】本発明の第１の実施形態の有機ＥＬ表示装置における初動電流測定動作および補正階調電圧導出動作を説明するための図である。
【図６】本発明の第１の実施形態の有機ＥＬ表示装置における初動電流測定動作および補正階調電圧導出動作における走査信号とデータラインに順次出力される電圧の一例を示す図である。
【図７】本発明の第２の実施形態の有機ＥＬ表示装置における初動電流測定動作および補正階調電圧導出動作を説明するための図である。
【図８】本発明の第２の実施形態の有機ＥＬ表示装置における初動電流測定動作および補正階調電圧導出動作における走査信号とデータラインに順次出力される電圧の一例を示す図である。
【図９】セレクトラインに順次出力される走査信号と電源ラインに順次出力される電圧の一例を示す図である。
【図１０】本発明の第５の実施形態における有機ＥＬ表示装置の構成の一例を示す図である。
【図１１】本発明の第５の実施形態の有機ＥＬ表示装置における初動電流測定動作および補正階調電圧導出動作を説明するための図である。
【図１２】本発明の第５の実施形態の有機ＥＬ表示装置における初動電流測定動作および補正階調電圧導出動作における走査信号とデータラインに順次出力される電圧の一例を示す図である。
【図１３】本発明の第６の実施形態の有機ＥＬ表示装置における初動電流測定動作および補正階調電圧導出動作を説明するための図である。
【図１４】本発明の第６の実施形態の有機ＥＬ表示装置における初動電流測定動作および補正階調電圧導出動作における走査信号とデータラインに順次出力される電圧の一例を示す図である。
【図１５】本発明に係る有機ＥＬ表示装置を適用したデジタルカメラの構成例を示す斜視図である。
【図１６】本発明に係る有機ＥＬ表示装置を適用したパーソナルコンピュータの構成例を示す斜視図である。
【図１７】本発明に係る有機ＥＬ表示装置を適用した携帯電話機の構成例を示す斜視図である。
【発明を実施するための形態】
【００２４】
以下に、本発明の実施形態に係る有機ＥＬ表示装置（発光装置）について説明する。
＜第１の実施形態＞
本発明の第１の実施形態における有機ＥＬ表示装置１は、図１に示すように、表示パネル２と、セレクトドライバ３と、電源ドライバ４と、データドライバ５と、システムコントローラ６と、電流計７とを有している。
【００２５】
表示パネル２は、表示領域にｎ−１行ｍ列のマトリクス状に配置された表示画素（発光画素）２０（１，１）〜２０（ｎ−１，ｍ）と、ｎ行目に行方向に沿って配置された１行ｍ列のダミー画素２１（ｎ，１）〜２１（ｎ，ｍ）と、行方向（図１の左右方向）に延在し、列方向に複数配列されている複数のセレクトライン（選択ライン）Ｌｓ１〜Ｌｓｎおよび電源ラインＬｖ１〜Ｌｖｎと、列方向（図１の上下方向）に延在し、行方向に複数配列されている複数のデータラインＬｄ１〜Ｌｄｍとを有している。
【００２６】
表示画素２０（ｉ，ｊ）（ｉ＝１〜ｎ−１，ｊ＝１〜ｍ）およびダミー画素２１（ｉ，ｊ）（ｉ＝ｎ，ｊ＝１〜ｍ）は、セレクトラインＬｓｉとデータラインＬｄｊの交点の近傍に配置され、セレクトラインＬｓｉと電源ラインＬｖｉとデータラインＬｄｊに接続されている。
【００２７】
各表示画素２０（ｉ，ｊ）は、画素駆動回路２０Ｄと有機ＥＬ素子ＯＥＬとから構成されている。
【００２８】
表示画素２０（ｉ，ｊ）の画素駆動回路２０Ｄは、トランジスタＴ２１、Ｔ２２とコンデンサＣ１とを含む。
【００２９】
トランジスタＴ２１およびＴ２２は、アモルファスシリコンまたはポリシリコンを用いたｎチャネル型ＴＦＴ（薄膜トランジスタ：Ｔｈｉｎ  Ｆｉｌｍ  Ｔｒａｎｓｉｓｔｏｒ）である。
【００３０】
トランジスタＴ２１は、選択トランジスタであり、ゲートがセレクトラインＬｓｉに接続され、ドレインがデータラインＬｄｊに接続され、ソースがトランジスタＴ２２のゲートとコンデンサＣ１の一端に接続されている。
トランジスタＴ２２は、有機ＥＬ素子ＯＥＬに電流を流すための駆動トランジスタであり、ゲートがトランジスタＴ２１のソースとコンデンサＣ１の一端に接続され、ドレインが電源ラインＬｖｊに接続され、ソースがコンデンサＣ１の他端に接続されている。ここで、電源ラインＬｖｉに接続されるトランジスタＴ２２のドレインは、本発明の電源端子に対応する。
【００３１】
有機ＥＬ素子ＯＥＬは、アノード電極と、カソード電極と、これらの電極間に形成された電子注入層、発光層、正孔注入層、等を備える。有機ＥＬ素子ＯＥＬのアノード電極は、コンデンサＣ１の他端とトランジスタＴ２２のドレインとの接続ノードＮ２１に接続され、カソード電極は、共通のカソードラインＬｃに接続されている。
【００３２】
ダミー画素２１は、画素駆動回路２０Ｄと同一の構成を有する画素駆動回路２１Ｄから構成されており、表示画素２０に対して有機ＥＬ素子ＯＥＬがない構成となっている。具体的には、ダミー画素２１はトランジスタＴ２１、Ｔ２２とコンデンサＣ１とから構成され、トランジスタＴ２２のソースとコンデンサＣ１の他端とが接続されているノードＮ２１はフィードバックラインＬｆｂを介して電流計７の一端に接続されている。
【００３３】
ダミー画素２１は、視認されないのが望ましいので、基本的には、表示領域外であって表示パネルを囲うシールドケースなどに覆われる場所に設けることが望ましい。ただし、直射日光が当たることによる表示パネルの温度変化を検出するようにする場合には、ダミー画素２１を、表示領域の周縁又は表示領域外であって表示領域の近傍の、表示パネルを囲うシールドケースなどに覆われない、視認され難い場所に設ける。
【００３４】
セレクトドライバ３は、表示画素２０またはダミー画素２１の行（以下、画素行とする）を選択して、表示画素２０、ダミー画素２１を選択状態とするための回路である。セレクトドライバ３は、通常の表示動作時には、図２（Ａ）〜図２（Ｄ）に示すように、セレクトラインＬｓ１〜Ｌｓｎ−１に、対応する画素行の選択期間ｔｓの間には、高電位のハイレベル電圧Ｖｈｉｇｈ（選択レベル）となり、それ以外の期間（非選択期間：発光期間）には低電位のロウレベル電圧Ｖｌｏｗ（非選択レベル）となる走査信号を順次出力する。
【００３５】
また、セレクトドライバ３は、後述する初動電流測定動作と補正電圧導出動作では、セレクトラインＬｓｎに、ハイレベル電圧Ｖｈｉｇｈ（選択レベル）を印加し、他のセレクトラインＬｓ１〜Ｌｓｎ−１には、ロウレベル電圧Ｖｌｏｗ（非選択レベル）を印加する。
【００３６】
図１に示す電源ドライバ４は、通常の表示動作時では、図２（Ｅ）〜（Ｈ）に示すように、電源ラインＬｖ１〜Ｌｖｎ−１に基準電圧Ｖｓｓより高い電位の電源電圧Ｖｃｃを印加する。
【００３７】
また、電源ドライバ４は、電源ラインＬｖｎに、通常の表示動作時は基準電圧Ｖｓｓを印加し、後述する初動電流測定動作時と補正電圧導出動作時では電源電圧Ｖｃｃを印加する。基準電圧Ｖｓｓは例えば接地電位ＧＮＤ（＝０Ｖ）である。
【００３８】
図１に示すデータドライバ５は、表示動作時に、デ−タラインＬｄ１〜Ｌｄｍに、表示画像の各画素に対する画像データの階調値に対応するアナログ電圧信号Ｖdataを印加する。表示動作時にデータドライバ５がデ−タラインＬｄ１〜Ｌｄｍに印加するアナログ電圧信号Ｖdataは、後述するように、初期階調電圧Ｖｇｓ（ｋ）に対して補正が加えられた補正階調電圧Ｖｇｓａ（ｋ）に設定される。
【００３９】
一方、データドライバ５は、後述する初動電流取得動作時および補正電圧導出動作時には、全てのデータラインＬｄ１〜Ｌｄｍに、互いに異なる電位に設定された第１設定電圧Ｖｓ１と第２設定電圧Ｖｓ２とを印加する。
【００４０】
具体的には、データドライバ５は、後述する初動電流取得動作時における第１初動電流Ｉａ１、又は、補正電圧導出動作時における第１検定電流Ｉｂ１を測定する際に第１設定電圧Ｖｓ１を印加し、初動電流取得動作時における第２初動電流Ｉａ２、又は、補正電圧導出動作時における第２検定電流Ｉｂ２を測定する際に第２設定電圧Ｖｓ２を印加する。
【００４１】
次に、データドライバ５について、図３を参照してより具体的に説明する。
【００４２】
図示するように、データドライバ５は、シフトレジスタ回路５０と、データレジスタ回路５１と、データラッチ回路５２と、補正演算部５３と、デジタル電圧／アナログ電圧変換回路（Ｄ／Ａコンバータ（ＤＡＣ））５４と、出力回路５５と、アナログ電圧／デジタル電圧変換回路（Ａ／Ｄコンバータ（ＡＤＣ））５６と、補正階調電圧導出部５７と、メモリ５８とを有している。
【００４３】
シフトレジスタ回路５０は、表示動作時には、サンプリングスタート信号ＳＴＲをシフトクロック信号ＣＬＫに基づいて順次シフトして、シフト信号をデータレジスタ回路５１に供給する。
【００４４】
データレジスタ回路５１は、シフトレジスタ回路５０から供給されるシフト信号に応じたタイミングで、各画素の表示階調を指示する画像データＤ１〜Ｄｍを順次取り込む。なお、画像データは例えば８ビットのデジタル信号であるとする。この場合、有機ＥＬ素子ＯＥＬの発光の階調は２５６階調である。
【００４５】
データラッチ回路５２は、データラッチ信号ＳＴＢに応答して、データレジスタ回路５１に取り込まれている１画素行分の画像データＤ１〜Ｄｍをラッチして、保持する。
【００４６】
補正演算部５３は、データラッチ回路５２に保持されている画像データＤ１〜Ｄｍを読み出して、メモリ５８に格納されている補正階調電圧テーブルを参照して、画像データに応じた発光輝度を得るためにデ−タラインＬｄ１〜Ｌｄｍに印加すべき電圧値を示す補正電圧データに変換する。
【００４７】
ＤＡＣ５４は、補正演算部５３が生成した補正電圧デ−タをアナログ電圧に変換する。
【００４８】
出力回路５５は、表示動作時には、ＤＡＣ５４から供給されたアナログ電圧に相当する電圧を各データラインＬｄ１〜Ｌｄｍに出力する。
【００４９】
一方、出力回路５５は、後述する初動電流取得動作時および補正電圧導出動作時には、データラインＬｄ１〜Ｌｄｍに第１設定電圧Ｖｓ１と第２設定電圧Ｖｓ２とを印加する。
【００５０】
ＡＤＣ５６は、後述する初動電流取得動作時および補正電圧導出動作時に、電流計７が測定した電流をデジタル信号に変換して補正階調電圧導出部５７に供給する。
【００５１】
補正階調電圧導出部５７は、初期階調電圧テーブルを有している。階調電圧テーブルは、図４（Ａ）に例示するような、画像データの階調値ｋと初期階調電圧Ｖｇｓ（ｋ）との関係を記憶している。初期階調電圧Ｖｇｓ（ｋ）は、工場出荷段階等で、階調値ｋに対応した有機ＥＬ素子ＯＥＬの発光輝度を得るために、データラインＬｄ１〜Ｌｄｍに印加すべき電圧であり、画素駆動回路２０Ｄと有機ＥＬ素子ＯＥＬの初期特性に基づいて設定されている。
【００５２】
補正階調電圧導出部５７は、後述する第１初動電流Ｉａ１、第２初動電流Ｉａ２、第１検定電流Ｉｂ１，第２検定電流Ｉｂ２から、現在の動作状態において、画像データの階調値ｋに対応した有機ＥＬ素子ＯＥＬの発光輝度を得るために、データラインＬｄ１〜Ｌｄｍに印加すべき補正階調電圧Ｖｇｓａ（ｋ）を求め、各表示階調と補正階調電圧Ｖｇｓａとを対応付ける補正階調電圧テーブルを求める。補正階調電圧導出部５７は、求めた補正階調電圧テーブルをメモリ５８に格納する。
【００５３】
メモリ５８は、補正階調電圧導出部５７が取得した第１初動電流Ｉａ１、第２初動電流Ｉａ２、補正階調電圧導出部５７が生成した補正階調電圧テーブルを記憶している。
【００５４】
図１に示すシステムコントローラ６は、セレクトドライバ３，電源ドライバ４，データドライバ５に制御信号を供給して、有機ＥＬ表示装置１全体の動作を制御する。
システムコントローラ６が実行する制御内容の詳細は後述する。
【００５５】
電流計７は、一端（電流流入端）が、ダミー画素２１（ｎ，１）〜２１（ｎ，ｍ）のトランジスタＴ２２のドレインとコンデンサＣ１の他端との接続点であるノードＮ２１に、フィードバックラインＬｆｂを介して接続されている。
【００５６】
電流計７の他端（電流流出端）には、共通電圧Ｖｃｏｍが印加されている。共通電圧Ｖｃｏｍは例えば基準電圧Ｖｓｓと同電位に設定され、例えば接地電位ＧＮＤ（＝０Ｖ）に設定される。
【００５７】
次に、上記構成を有する有機ＥＬ表示装置１の動作について説明する。
有機ＥＬ表示装置１の動作は、大きくは、電源立ち上げ時等の動作温度が室温状態で実行される初動電流測定動作、その後の任意のタイミングで実行され、動作温度の動作環境の変動による画素駆動回路の特性変動を補正する補正階調電圧Ｖｇｓａを導出する補正電圧導出動作、そして、導出した補正階調電圧Ｖｇｓａを用いて画像データに応じた画像表示を行う表示動作に分けられる。
以下、場面を分けてその動作を説明する。
【００５８】
まず、初動電流測定動作について、図５、図６を参照して説明する。
【００５９】
システムコントローラ６は、有機ＥＬ表示装置１の温度が室温状態にあるイニシャライズ処理終了後等に、初動電流を測定するための制御を行う。
【００６０】
制御に従って、セレクトドライバ３は、図６（Ａ）に示すように、ダミー画素２１（ｎ，１）〜２１（ｎ，ｍ）を選択するために、所定の選択期間ｔｍ１の間、セレクトラインＬｓｎに高電位のハイレベル電圧Ｖｈｉｇｈを印加する。
【００６１】
電源ドライバ４は、図６（Ｃ）に示すように、電源ラインＬｖｎに電源電圧Ｖｃｃを印加する。
【００６２】
データドライバ５は、図６（Ｂ）に示すように、所定の電圧印加期間ｔｄ１の間、全てのデータラインＬｄ１〜Ｌｄｍに同一電位の第１設定電圧Ｖｓ１を印加する。なお、電圧印加期間ｔｄ１は、ｍ個のダミー画素２１を流れる第１初動電流Ｉａ１の測定に必要な時間に設定される。
【００６３】
これにより、第ｎ行のダミー画素２１（ｎ，１）〜２１（ｎ，ｍ）のトランジスタＴ２１がオンし、これにより、トランジスタＴ２２のゲートに第１設定電圧Ｖｓ１（−３Ｖ）が印加され、トランジスタＴ２２がオンする。オンしたトランジスタＴ２２は、ゲート−ソース間の電圧Ｖｄ１（＝Ｖｓ１−Ｖｃｏｍ）に対応する電流がドレインーソース間（電流路）に流れる。
【００６４】
電流計７は、第ｎ行にあるｍ個のダミー画素２１（ｎ，１）〜２１（ｎ，ｍ）を流れる電流の総和（第１初動電流Ｉａ１）を測定し、ＡＤＣ５６に供給する。
【００６５】
ＡＤＣ５６は、第１初動電流Ｉａ１をデジタルデータに変換し、補正階調電圧導出部５７に供給する。
【００６６】
補正階調電圧導出部５７は、第１初動電流Ｉａ１の値をメモリ５８に供給し、メモリ５８は第１初動電流Ｉａ１の値を格納する。
【００６７】
次に、システムコントローラ６は、図６（Ｂ）に示すように、データドライバ５が、所定の電圧印加期間ｔｄ２の間、全てのデータラインＬｄ１〜Ｌｄｍに第２設定電圧Ｖｓ２を印加するように制御する。なお、電圧印加期間ｔｄ２は、ｍ個のダミー画素２１を流れる第２初動電流Ｉａ２の測定に必要な時間に設定される。
【００６８】
これにより、トランジスタＴ２２のゲート−ソース間の電圧はＶｄ２（＝Ｖｓ２−Ｖｃｏｍ）に変化し、トランジスタＴ２２は、ゲート−ソース間の電圧Ｖｄ２に対応する電流がドレインーソース間（電流路）に流れる。
【００６９】
電流計７は、第ｎ行にあるｍ個のダミー画素２１（ｎ，１）〜２１（ｎ，ｍ）を流れる電流の総和（第２初動電流Ｉａ２）を測定し、ＡＤＣ５６に供給する。
【００７０】
ＡＤＣ５６は、第２初動電流Ｉａ２をデジタルデータに変換し、補正階調電圧導出部５７に供給する。
【００７１】
補正階調電圧導出部５７は、第２初動電流Ｉａ２の値をメモリ５８に供給し、メモリ５８は第２初動電流Ｉａ２の値を格納する。
【００７２】
第２初動電流Ｉａ２の値がメモリ５８に格納されると、初動電流測定動作を終了する。
【００７３】
初動電流測定動作が終了下後、補正電圧導出動作と表示動作とを実行する。
ここで、補正電圧導出動作は、表示動作中の適当なタイミング、例えば、一定周期、無操作時、ランダムなタイミングなどで行えばよい。本実施形態における補正電圧導出動作は、上述したように、ダミー画素２１に第１、第２設定電圧を印加して電流計により駆動トランジスタに流れる電流を測定する構成であるので、比較的短時間で実行可能である。そのため、例えば表示フレーム間の帰線期間等の非表示期間に実行することができる。
ここでは、理解を容易にするため、１表示フレーム毎に、補正電圧導出動作を行って補正階調電圧Ｖｇｓａを導出し、導出した補正階調電圧Ｖｇｓａを用いて次のフレームの表示画像の書き込みを行うようにした場合について説明する。
【００７４】
まず、任意の表示フレームで、書き込み動作終了後、システムコントローラ６は、補正電圧導出動作の実行を指示する。この指示に応答し、セレクトドライバ３は、第ｎ行のセレクトラインＬｓｎにハイレベル電圧Ｖhighを印加する。
【００７５】
電源ドライバ４は、電源ラインＬｖｎに電圧Ｖｃｃを印加する。
データドライバ５は、図６（Ｂ）に示すように、全てのデータラインＬｄ１〜Ｌｄｍに、電圧印加期間ｔｄ１の間、第１設定電圧Ｖｓ１を印加する。
【００７６】
これにより、トランジスタＴ２１とＴ２２はオンし、トランジスタＴ２２のゲート−ソース間の電圧Ｖｄ１に対応する電流がトランジスタＴ２２のドレイン−ソース間に流れ、電流計７は第ｎ行にあるｍ個のダミー画素２１（ｎ，１）〜２１（ｎ，ｍ）を流れる電流の総和（第１検定電流Ｉｂ１）を測定する。
【００７７】
第１検定電流Ｉｂ１は、ＡＤＣ５６を介して補正階調電圧導出部５７に供給される。補正階調電圧導出部５７は、第１検定電流Ｉｂ１の値をメモリ５８に供給し、メモリ５８は第１検定電流Ｉｂ１の値を格納する。
【００７８】
続いて、システムコントローラ６は、データドライバ５が全てのデータラインＬｄ１〜Ｌｄｍに、電圧印加期間ｔｄ２の間、第２設定電圧Ｖｓ２を印加するように制御する。
【００７９】
これにより、トランジスタＴ２２のゲート−ソース間の電圧はＶｄ２に変化し、トランジスタＴ２２のドレイン−ソース間に、ゲート−ソース間の電圧Ｖｄ２に対応する電流がトランジスタＴ２２のドレイン−ソース間に流れる。電流計７は、は、ダミー画素２１（ｎ，１）〜２１（ｎ，ｍ）を流れる電流の総和（第２検定電流Ｉｂ２）を測定する。
【００８０】
ＡＤＣ５６は、測定された第２検定電流Ｉｂ２をデジタルデータに変換し、補正階調電圧導出部５７に供給する。
【００８１】
補正階調電圧導出部５７は、得られた情報を用いて、図４（Ｂ）に示す補正階調電圧テーブルを求める。
以下、補正階調電圧テーブルを求める手順を説明する。
【００８２】
まず、一般的に、ＭＯＳトランジスタのゲート−ソース間電圧をＶｇｓとすると、ＭＯＳトランジスタのドレイン−ソース間に流れる電流Ｉｄは、以下の（１）の式で表される。
Ｉｄ＝β（Ｖｇｓ−Ｖｔｈ）２                          ・・・（１）
ここで、βはＭＯＳトランジスタの電流増幅率、ＶｔｈはＭＯＳトランジスタの閾値電圧である。
【００８３】
この式より、トランジスタＴ２２の、使用開始時の閾値電圧Ｖｔｈ０と電流増幅率β０は、第１初動電流Ｉａ１、第２初動電流Ｉａ２、それらを測定したときのゲート−ソース間電圧Ｖｄ１，Ｖｄ２を用いて、次の（２）、（３）式で表される。
【数１】
2012141456.tif 000003
【数２】
2012141456.tif 000004
【００８４】
また、トランジスタＴ２２の、使用開始後（現時点）での閾値電圧Ｖｔｈ１と電流増幅率β１は、第１検定電流Ｉｂ１、第２検定電流Ｉｂ２、それらを測定したときのゲート−ソース間電圧Ｖｄ１，Ｖｄ２を用いて、（４）、（５）式で表される。
【数３】
2012141456.tif 000005
【数４】
2012141456.tif 000006
【００８５】
ある階調ｋを得るために初期状態において有機ＥＬ素子ＯＥＬに流す必要のある電流を、トランジスタＴ２２の閾値電圧がＶｔｈ０からＶｔｈ１に、電流増幅率がβ０からβ１に変化した状態において、ある階調ｋを得るために流す必要のある電流を流すためには、初期のゲート−ソース電圧Ｖｇｓを補正されたゲート−ソース電圧Ｖｇｓａに変更（増大）する必要がある。この補正ゲート−ソース間電圧は、Ｖｔｈ０、Ｖｔｈ１、β０、β１を用いて、（６）式で表される。
【数５】
2012141456.tif 000007
【００８６】
補正階調電圧導出部５７は、式（２）〜（５）に基づいてＶｔｈ０，Ｖｔｈ１，β０，β１を導出する。次に、導出したＶｔｈ０，Ｖｔｈ１，β０，β１を用いて、図４（Ａ）に示す初期階調電圧テーブルを参照して階調ｋの際の初期階調電圧Ｖｇｓ（ｋ）を取得する。その後、上記式（６）に基づいて補正階調電圧Ｖｇｓａ（０）〜Ｖｇｓａ（２５５）を導出し、階調ｋと対応付けて、補正階調テーブルとしてメモリ５８に格納する。
【００８７】
なお、表示画素２０に関しては、トランジスタＴ２２のソースが有機ＥＬ素子ＯＥＬを介して、接地電圧Ｖｓｓに接続されているが、トランジスタＴ２１の電流路の抵抗と有機ＥＬ素子ＯＥＬの微小抵抗を無視して考えると、補正階調テーブルに設定されたＶｇｓａ（ｋ）をデータラインＬｄ１〜Ｌｄｍに印加すれば、Ｔ２２のゲート−ソース間には、階調ｋを表示するために必要となる電流が流れることになる。
【００８８】
補正階調電圧Ｖｇｓａ（０）〜Ｖｇｓａ（２５５）の値がメモリ５８に格納されると、補正電圧導出動作を終了する。
【００８９】
次に、導出した補正階調電圧を用いた次フレームの書き込み動作（表示動作）を開始する。
【００９０】
まず、システムコントローラ６は、図示せぬ垂直同期信号に応答して、セレクトドライバ３に、図２（Ａ）〜（Ｄ）に示すように、走査信号を出力させ、電源ドライバ４に図２（Ｅ）に示すように、電圧信号を出力させる。
【００９１】
また、システムコントローラ６は、データドライバ５に書き込み動作を実行させるための制御信号を出力する。
【００９２】
この制御信号に応答して、シフトレジスタ回路５０は、シフト信号をデータレジスタ回路５１に供給する。
【００９３】
データレジスタ回路５１は、シフトレジスタ回路５０から供給されるシフト信号に応答して、画像データＤ１〜Ｄｍを順次取り込んでシフトし、１行分のデータが格納されると、データラッチ回路５２が、これをラッチして保持する。
【００９４】
補正演算部５３は、データラッチ回路５２に保持されている画像データＤ１〜Ｄｍを読み出して、画像データに対応した補正階調電圧を、メモリ５８に格納されている補正階調電圧テーブルを参照して取得して出力する。
【００９５】
具体的に説明すると、補正演算部５３は、データラッチ回路５２から画像データＤ１〜Ｄｍを読み出し、各画像データＤ１〜Ｄｍに基づいて各画像データの階調ｋに応じた補正階調電圧Ｖｇｓａ（ｋ）をメモリ５８に格納されている補正階調電圧テーブルから取得し、これら各補正階調電圧Ｖｇｓａを電圧データＤＶ１〜ＤＶｍとしてＤＡＣ５４に出力する。
【００９６】
ＤＡＣ５４は、電圧デ−タＤＶ１〜ＤＶｍをアナログ電圧に変換し、出力回路５５は、アナログ電圧に相当する電圧を各データラインＬｄ１〜Ｌｄｍに印加する。これにより、走査信号によって選択状態にある表示画素２０（１，１）〜２０（１，ｍ）に補正階調電圧Ｖｇｓａに対応する電圧を印加する。
【００９７】
以後同様の動作を、第２行、第３行．．．第ｎ−１行の表示画素２０（２，１）〜２０（２，ｍ）、２０（３，１）〜２０（３，ｍ）、，，，２０（ｎ−１，１）〜２０（ｎ−１，ｍ）について実行する。
【００９８】
これにより、表示画素２０（１，１）〜２０（ｎ−１，ｍ）について有機ＥＬ表示装置１の電源立ち上げ時における発光輝度と同等の発光輝度での表示がなされる。
【００９９】
即ち、本実施形態の有機ＥＬ表示装置１では、起動後に、有機ＥＬ表示装置１が動作することによる表示パネルの温度変化や直射日光が当たることによる表示パネルの温度変化等により画素駆動回路の駆動トランジスタの閾値電圧、電流増幅率等の特性が変動し、同一の信号電圧を印加した場合、流れる電流が初動電流から変動してしまう。しかし、その変動分を相殺するように印加電圧が補償（補正）されるので、有機ＥＬ表示装置１は、電源立ち上げ時と同様の輝度で発光可能となり、電源立ち上げ時と同等の表示品質が保たれる。また、ダミー画素２１を配列してこれらの補正をすることから、処理時間が短く、ほぼリアルタイムに補正を行うことができる。
【０１００】
＜第２の実施形態＞
第１実施形態においては、全ての表示画素２０（１，１）〜２０（ｎ−１，ｍ）に対して共通の補正階調電圧Ｖｇｓａを使用する構成とした。しかし、表示領域内の場所によって温度が異なる温度分布が発生し、有機ＥＬ素子のＯＥＬの発光輝度が表示領域内の場所によってばらつくことがある。そこで、表示領域内の場所毎に最適な補正階調電圧Ｖｇｓａを使用するようすることが好ましい。第２の実施形態はこれに対応して、表示領域の列毎に補正階調電圧を求めて、列毎に発光輝度の補正を行うようにしたものである。
【０１０１】
本実施形態における有機ＥＬ表示装置１は、第１の実施形態における有機ＥＬ表示装置１と回路構成は同一であり、制御動作が異なるものである。以下、その動作を説明する。
【０１０２】
本実施形態においても、有機ＥＬ表示装置１の動作は、電源立ち上げ時等に実行される初動電流測定動作、その後の任意のタイミングで実行されて補正階調電圧Ｖｇｓａを導出する補正電圧導出動作、補正階調電圧Ｖｇｓａに基づいて画像データに応じた画像表示を行う表示動作に分けられる。
ただし、１個のダミー画素２１（ｎ、ｊ）（ｊ＝１〜ｍ）毎に初動電流Ｉａ１（ｊ），Ｉａ２（ｊ）を測定し、各ダミー画素２１に対応する補正階調電圧Ｖｇｓａ（ｊ）を導出し、1つの列のダミー画素２１（ｎ、ｊ）に対する補正階調電圧Ｖｇｓａ（ｊ）を、同じ列の表示画素２０（ｉ、ｊ）（ｉ＝１〜ｎ−１）に印加するようにしている点が第１実施形態とは異なる。以下、具体的に説明する。
【０１０３】
まず、初動電流測定動作について、図７、図８を参照して説明する。
有機ＥＬ表示装置１の電源投入後、システムコントローラ６は、初動電流測定動作の実行を指示する。
【０１０４】
この指示に従って、セレクトドライバ３は、図８（Ａ）に示すように、第１列のダミー画素２１（ｎ，１）を選択するために、所定の選択期間ｔｍ２の間、セレクトラインＬｓｎに高電位のハイレベル電圧Ｖｈｉｇｈを印加する。
【０１０５】
電源ドライバ４は、図８（Ｆ）に示すように、電源ラインＬｖｎに、電源電圧Ｖｃｃを印加する。
【０１０６】
データドライバ５は、図８（Ｂ）〜（Ｅ）に示すように、所定の電圧印加期間ｔｄ３の間、第１列のデータラインＬｄ１に、第１設定電圧Ｖｓ１を印加し、他のデータラインＬｄ２〜Ｌｄｍに共通電圧Ｖｃｏｍを印加する。
なお、電圧印加期間ｔｄ３は、１個のダミー画素２１の第１初動電流Ｉａ１の測定に必要な時間に設定される。
【０１０７】
これにより、電圧印加期間ｔｄ３の間、第ｎ行第１列のダミー画素２１（ｎ，１）のトランジスタＴ２１がオンし、トランジスタＴ２２のゲート−ソース間の電圧Ｖｄ１（＝Ｖｓ１−Ｖｃｏｍ）に対応する電流が、トランジスタＴ２２のドレイン−ソース間に流れる。
【０１０８】
一方、第ｎ行の第２列から第ｍ列のダミー画素２１（ｎ，２）〜２１（ｎ，ｍ）については、トランジスタＴ２１はオンしているが、データラインＬｄ２〜Ｌｄｍに印加されている電圧が共通電圧ＶｃｏｍであるためにトランジスタＴ２２はオフとなっており、トランジスタＴ２２のドレイン−ソース間に電流は流れない。
【０１０９】
従って、電流計７を流れる電流は、第ｎ行第１列のダミー画素２１（ｎ，１）のトランジスタＴ２２のドレイン−ソース間に流れる電流だけである。電流計７は、このダミー画素２１（ｎ，１）に流れる電流を測定してＡＤＣ５６に供給し、ＡＤＣ５６は、測定した電流をデジタルデータに変換して補正階調電圧導出部５７に供給する。補正階調電圧導出部５７は、供給された電流の電流値を、第１列の画素の第１初動電流Ｉａ１（１）として、メモリ５８に格納する。
【０１１０】
以後、図８（Ｂ）〜（Ｅ）に示すように、第２列のデータラインＬｄ２、第３列のデータラインＬｄ３、．．．第ｍ列のデータラインＬｄｍに所定の電圧印加期間ｔｄ３だけ第１設定電圧Ｖｓ１を順次印加し、他のデータラインに共通電圧Ｖｃｏｍを印加する。これにより、ダミー画素２１（ｎ，２）、２１（ｎ，３）．．．２１（ｎ，ｍ）の各々に流れる第１初動電流Ｉａ１（２）〜Ｉａ１（ｍ）が順次測定され、測定値がメモリ５８に格納される。
【０１１１】
次に、データドライバ５は、電圧印加期間ｔｄ４の間、データラインＬｄ１に第２設定電圧Ｖｓ２を印加し、他のデータラインＬｄ２〜Ｌｄｍに共通電圧Ｖｃｏｍを印加する。ここで、電圧印加期間ｔｄ４は、１個のダミー画素２１の第２初動電流Ｉａ２の測定に必要な時間に設定される。
【０１１２】
これにより、第ｎ行第１列のダミー画素２１（ｎ，１）のトランジスタＴ２２のゲート−ソース間の電圧は第２設定電圧Ｖｓ２（＝Ｖｓ２−Ｖｃｏｍ）に変化し、ゲート−ソース間の電圧Ｖｄ２（５Ｖ）に対応する電流がトランジスタＴ２２のドレイン−ソース間に流れる。
【０１１３】
電流計７は、ダミー画素２１（ｎ，１）に流れる電流を測定してＡＤＣ５６に供給し、ＡＤＣ５６はデジタルデータに変換して補正階調電圧導出部５７に供給する。そして、補正階調電圧導出部５７は、ダミー画素２１（ｎ，１）のトランジスタＴ２２のドレイン−ソース間に流れる電流の電流値を、第２初動電流Ｉａ２（１）として取得する。
【０１１４】
電流計７により測定された第２初動電流Ｉａ２（１）の測定値は、ＡＤＣ５６によりデジタルデータに変換され、補正階調電圧導出部５７に供給される。
【０１１５】
補正階調電圧導出部５７は、第２初動電流Ｉａ２（１）を示すデジタルデータをメモリ５８に格納する。
【０１１６】
データドライバ５は、図８（Ｂ）〜（Ｅ）に示すように、以後、第２列のデータラインＬｄ２、第３列のデータラインＬｄ３、．．．第ｍ列のデータラインＬｄｍに第２設定電圧Ｖｓ２（−５Ｖ）を印加し、他のデータラインに共通電圧Ｖｃｏｍを順次印加する。これにより、ダミー画素２１（ｎ，２）、２１（ｎ，３）．．．２１（ｎ，ｍ）の各々に流れる第２初動電流Ｉａ２（２）〜Ｉａ２（ｍ）が順次測定され、メモリ５８に格納される。
全ての第１初動電流Ｉａ１（１）〜Ｉａ１（ｍ）および第２初動電流Ｉａ２（１）〜Ｉａ２（ｍ）がメモリ５８に格納されると、初動電流測定動作を終了する。
【０１１７】
初動電流測定動作を終了すると、次に、補正階調電圧導出動作と表示動作とを実行する。
ここでも、理解を容易にするため、１表示フレーム毎に、補正階調電圧導出動作を行って補正階調電圧Ｖｇｓａを導出し、導出した補正階調電圧Ｖｇｓａを用いて次のフレームの表示画像の書き込みを行う例を説明する。
【０１１８】
まず、任意の表示フレームでの書き込み動作終了後、補正階調電圧導出動作を実行する。
即ち、初動電流測定動作と同様に、セレクトドライバ３は、図８（Ａ）に示すように、第ｎ行のセレクトラインＬｓｎにハイレベル電圧Ｖhighを印加する。これにより、第ｎ行のダミー画素２１（ｎ，１）〜２１（ｎ，ｍ）のトランジスタＴ２２がオンする。
【０１１９】
電源ドライバ４は、全ての電源ラインＬｖｎに、電源電圧Ｖｃｃを印加する。
【０１２０】
データドライバ５は、図８（Ｂ）〜（Ｅ）に示すように、データラインＬｄ１〜Ｌｄｍに、電圧印加期間ｔｄ３の間には、第１設定電圧Ｖｓ１となり、それ以外の期間には共通電圧Ｖｃｏｍとなる電圧を順次出力する。
【０１２１】
これにより、電流計７は、まず、ダミー画素２１（ｎ，１）に流れる第１検定電流Ｉｂ１を測定し、第１検定電流Ｉｂ１の測定値をデジタルデータに変換し、補正階調電圧導出部５７に供給する。
【０１２２】
補正階調電圧導出部５７は、取得した第１検定電流Ｉｂ１をメモリ５８に供給し、メモリ５８は第１検定電流Ｉｂ１の値を格納する。
【０１２３】
続いて、電流計７は、ダミー画素２１（ｎ，２）、２１（ｎ，３）．．．２１（ｎ，ｍ）の各々に流れる第１検定電流Ｉｂ２，Ｉｂ３．．．Ｉｂｍを測定してＡＤＣ５６に供給し、ＡＤＣ５６は、第１検定電流Ｉｂ２，Ｉｂ３．．．Ｉｂｍをデジタルデータに変換し、補正階調電圧導出部５７に供給する。
【０１２４】
補正階調電圧導出部５７は、取得した第１検定電流Ｉｂ１〜Ｉｂｍをメモリ５８に供給し、メモリ５８は、第１検定電流Ｉｂ１〜Ｉｂｍの値を格納する。
【０１２５】
次に、データドライバ５は、データラインＬｄ１〜Ｌｄｍに、電圧印加期間ｔｄ４の間には、第２設定電圧Ｖｓ２となり、それ以外の期間には共通電圧Ｖｃｏｍとなる電圧を順次出力する。
【０１２６】
電流計７は、ダミー画素２１（ｎ，１）に流れる電流を測定してＡＤＣ５６に供給し、ＡＤＣ５６はデジタルデータに変換して補正階調電圧導出部５７に供給する。そして、補正階調電圧導出部５７は、ダミー画素２１（ｎ，１）のトランジスタＴ２２のドレイン−ソース間に流れる電流の電流値を、第２検定電流Ｉｂ２（１）として取得する。
【０１２７】
続いて、電流計７は、ダミー画素２１（ｎ，２）、２１（ｎ，３）．．．２１（ｎ，ｍ）に流れる第２検定電流Ｉｂ２（２），Ｉｂ２（３）．．．Ｉｂ２（ｍ）を測定し、ＡＤＣ５６は、第１検定電流Ｉｂ２（２），Ｉｂ２（３）．．．Ｉｂ２（ｍ）をデジタルデータに変換し、補正階調電圧導出部５７に供給する。
【０１２８】
補正階調電圧導出部５７は、第２検定電流Ｉｂ２（１）〜Ｉｂ２（ｍ）とメモリ５８に格納されている第１初動電流Ｉａ１（１）〜Ｉａ１（ｍ）と第２初動電流Ｉａ２（１）〜Ｉａ２（ｍ）と第１検定電流Ｉｂ１（１）〜Ｉｂ１（ｍ）とに基づいて、ダミー画素２１（ｎ，ｊ）のトランジスタＴ２２の使用開始時の閾値電圧Ｖｔｈ０と電流増幅率β０を、（７）、（８）式から導出する。
【数６】
2012141456.tif 000008
【数７】
2012141456.tif 000009
【０１２９】
また、ダミー画素２１（ｎ，ｊ）のトランジスタＴ２２の、使用開始後（現時点）での閾値電圧Ｖｔｈ１と電流増幅率β１を、（９）、（１０）式から導出する。
【数８】
2012141456.tif 000010
【数９】
2012141456.tif 000011
【０１３０】
補正階調電圧導出部５７は、式（７）〜（１０）による演算を行った後、図４（Ｂ）に示す階調電圧テーブルを参照して階調電圧Ｖｇｓ（ｋ）を取得し、その後、以下の式（１１）による演算を行って、補正階調電圧Ｖｇｓａ（ｋ）を導出する。
【数１０】
2012141456.tif 000012
【０１３１】
補正階調電圧導出部５７は、導出した補正階調電圧Ｖｇｓａ（１，０）〜Ｖｇｓａ（ｍ，２５５）をメモリ５８に供給し、補正階調電圧Ｖｇｓａ（１，０）〜Ｖｇｓａ（ｍ，２５５）の各値と階調ｋとを対応づけて、補正階調テーブルとしてメモリ５８に格納する。
【０１３２】
なお、本実施形態における補正階調テーブルは、図４（Ｂ）に示されているテーブルに、階調毎に１列目からｍ列目まで補正階調電圧Ｖｇｓａ（１，０）〜Ｖｇｓａ（ｍ，２５５）の各値が配列されたテーブルである。
【０１３３】
補正階調電圧Ｖｇｓａ（１，０）〜Ｖｇｓａ（ｍ，２５５）の値がメモリ５８に格納されると、補正電圧導出動作を終了する。
【０１３４】
続いて、次フレームの書き込み動作（表示動作）が開始し、画像データＤ１〜Ｄｍが行単位で順次供給され、データラッチ回路５２に格納される。
補正演算部５３は、データラッチ回路５２に保持されている画像データＤ１〜Ｄｍを読み出し、各画像データＤ１〜Ｄｍを電圧データＤＶ１〜ＤＶｍに変換する。
【０１３５】
補正演算部５３は、データラッチ回路５２に保持されている画像データＤ１〜Ｄｍを読み出して、画像データに対応した補正階調電圧を、メモリ５８に格納されている補正階調電圧テーブルを参照して取得して出力する。
【０１３６】
具体的に説明すると、まず、第１行の表示画素２０（１，１）〜２０（１，ｍ）用の画像データＤ１〜Ｄｍがデータラッチ回路５２に取りこまれる。補正演算部５３は、データラッチ回路５２に保持されている画像データＤ１〜Ｄｍを読み出して、画像データＤ１の階調数に応じた補正階調電圧Ｖｇｓａ（１，ｋ）をメモリ５８に格納されている補正階調電圧テーブルを参照して取得する。続いて、補正演算部５３は、２列目、３列目・・・ｍ列目の各電圧データの階調数に応じた補正階調電圧Ｖｇｓａ（２，ｋ）、Ｖｇｓａ（３，ｋ）、・・・Ｖｇｓａ（ｍ，ｋ）をメモリ５８から取得し、これらの補正階調電圧Ｖｇｓａ（１，ｋ）〜Ｖｇｓａ（ｍ，ｋ）を電圧データＤＶ１〜ＤＶｍとしてＤＡＣ５４に出力する。
【０１３７】
ＤＡＣ５４は、電圧デ−タＤＶ１〜ＤＶｍをアナログ電圧に変換し、出力回路５５は、アナログ電圧に対応する電圧を各データラインＬｄ１〜Ｌｄｍに印加する。これにより、走査信号によって選択状態にある表示画素２０（１，１）〜２０（１，ｍ）に補正階調電圧Ｖｇｓａに対応する電圧を印加する。
【０１３８】
これにより、表示画素２０（１，１）〜２０（１，ｍ）について、有機ＥＬ表示装置１の電源立ち上げ時における発光輝度での表示がなされる。
【０１３９】
以後同様の動作を、第２行、第３行．．．第ｎ−１行の表示画素２０（２，１）〜２０（２，ｍ）、２０（３，１）〜２０（３，ｍ）、，，，２０（ｎ，１）〜２０（ｎ，ｍ）について実行する。
【０１４０】
これにより、表示画素２０（１，１）〜２０（ｎ−１，ｍ）について有機ＥＬ表示装置１の電源立ち上げ時における発光輝度と同等の発光輝度での表示がなされる。
【０１４１】
このような構成によれば、列単位で補正階調電圧Ｖｇｓａが求められ、同一列の表示画素２０に印加する階調電圧の補正に使用するので、表示装置内で温度分布が存在する場合でも、適切な補正が可能であり、高品質の画像が表示できる。
【０１４２】
＜第３の実施形態＞
第１実施形態および第２実施形態では、有機ＥＬ表示装置１の電源立ち上げ後に表示装置内の温度が変化することにより表示画素の発光輝度が変化することによる表示画像の品質が低下することを防止するようにしたが、これとは別に、有機ＥＬ表示装置１は、長期間使用することで画素駆動回路２０Ｄの特性が変動し、同一の信号電圧を印加した場合でも、流れる電流が工場出荷時の初期電流から変動することから表示画素の発光輝度が変化することによる表示画像の品質が低下することが知られている。
そこで、本実施形態では、長期間使用したことによる画素駆動回路２０Ｄの特性変動分を相殺するように印加電圧を補償し、工場出荷時と同様の輝度で発光し、工場出荷時と同等の表示品質が保たれることとなる有機ＥＬ表示装置１について説明する。
【０１４３】
なお、本実施形態における有機ＥＬ表示装置１の回路構成は、第１の実施形態における有機ＥＬ表示装置１の回路構成と同一である。
【０１４４】
本実施形態においては、第１実施形態において、電源立ち上げ時に実行した、初期電流測定動作を、工場出荷時等の製造段階で実行し、第１初期電流Ｉａ１と第２初期電流Ｉａ２を求め、さらに、求めた第１初期電流Ｉａ１と第２初期電流Ｉａ２から、ダミー画素２１のトランジスタＴ２２の製造段階での閾値電圧Ｖｔｈ０と電流増幅率β０とを求め、メモリ５８に格納する。なお、この段階で、閾値電圧Ｖｔｈ０と電流増幅率β０とを求める手法は、第１初期電流Ｉａ１と第２初期電流Ｉａ２を測定して式（１）、（２）に代入する方法に限定されず、他の手法を使用してもよい。
【０１４５】
本実施形態における有機ＥＬ表示装置１の動作は、電源立ち上げ後の所定のタイミングで実行され、補正階調電圧Ｖｇｓａを導出する補正電圧導出動作と、導出した補正階調電圧Ｖｇｓａを用いて画像を表示する表示動作とを含む。
【０１４６】
補正電圧導出動作は、基本的に、実施形態１における補正電圧導出動作と同一である。以下では、実施形態１と同様に、各表示フレーム終了時に補正電圧導出動作を実行するものとして、補正電圧導出動作の概略を説明する。
【０１４７】
システムコントローラ６は、例えば、電源立ち上げ時のイニシャライズ処理等が終了すると、セレクトドライバ３と、電源ドライバ４とデータドライバ５とに制御信号を供給し、補正電圧導出動作の開始を指示する。
【０１４８】
セレクトドライバ３は、指示に応答して、第ｎ行のセレクトラインＬｓｎにハイレベル電圧Ｖhighを印加し、他のセレクトラインＬｓ１〜Ｌｓｎ−１にロウレベル電圧Ｖlowを印加する。これにより、第ｎ行のダミー画素２１（ｎ，１）〜２１（ｎ，ｍ）のトランジスタＴ２１がオンする。
【０１４９】
また、電源ドライバ４は、指示に応答して、電源ラインＬｖｎに電源電圧Ｖｃｃを印加する。
【０１５０】
一方、データドライバ５は、指示に応答して、全てのデータラインＬｄ１〜Ｌｄｍに同一電位の第１設定電圧Ｖｓ１を印加する。
【０１５１】
これにより、第ｎ行のダミー画素２１（ｎ，１）〜２１（ｎ，ｍ）のトランジスタＴ２１がオンし、さらに、トランジスタＴ２２がオンする。電源ラインＬｖｎに電源電圧Ｖｃｃが印加され、電流計７の他端に共通電圧Ｖｃｏｍが印加されているため、トランジスタＴ２２のゲート・ソース間に電圧Ｖｄ１（＝Ｖｓ１−Ｖｃｏｍ）が印加されて、トランジスタＴ２２のドレイン−ソース間に、ゲート・ソース間電圧Ｖｄ１に対応する電流が流れる。
【０１５２】
これにより、電流計７を流れる電流は、第ｎ行にあるｍ個のダミー画素２１（ｎ，１）〜２１（ｎ，ｍ）を流れる電流の総和である第１検定電流Ｉｂ１となる。
【０１５３】
この第１検定電流Ｉｂ１は電流計７により測定され、測定値がＡＤＣ５６に供給される。
【０１５４】
ＡＤＣ５６は、第１検定電流Ｉｂ１をデジタルデータに変換して、補正階調電圧導出部５７に供給し、補正階調電圧導出部５７は、これをメモリ５８に供給し、メモリ５８は第１検定電流Ｉｂ１の値を格納する。
【０１５５】
次に、システムコントローラ６は、データドライバ５が全てのデータラインＬｄ１〜Ｌｄｍに同一電位の第２設定電圧Ｖｓ２を印加するように制御する。
【０１５６】
トランジスタＴ２１とトランジスタＴ２２はオン状態を維持する。電源ラインＬｖｎに電源電圧Ｖｃｃが印加され、電流計７の他端に共通電圧Ｖｃｏｍが印加されているため、トランジスタＴ２２のゲート・ソース間に電圧Ｖｄ２（＝Ｖｓ２−Ｖｃｏｍ）が印加されて、トランジスタＴ２２のドレイン−ソース間に、ゲート・ソース間電圧Ｖｄ２に対応する電流が流れる。電流計７を流れる第２検定電流Ｉｂ２は、第ｎ行にあるｍ個のダミー画素２１（ｎ，１）〜２１（ｎ，ｍ）を流れる電流の総和となる。
【０１５７】
この第２検定電流Ｉｂ２は電流計７により測定され、測定値がＡＤＣ５６に供給される。
【０１５８】
ＡＤＣ５６は、第２検定電流Ｉｂ２をデジタルデータに変換し、補正階調電圧導出部５７に供給する。
【０１５９】
補正階調電圧導出部５７は、第１検定電流Ｉｂ１の値と第２検定電流Ｉｂ２の値とが供給されると、メモリ５８に記憶されている電流増幅率β０と閾値電圧Vｔｈ０とを参照して式（３）及び（５）による演算を行い、その後、式（６）による演算を行って補正階調電圧Ｖｇｓａ（０）〜Ｖｇｓａ（２５５）を導出する。
【０１６０】
補正階調電圧導出部５７は、導出した補正階調電圧Ｖｇｓａ（０）〜Ｖｇｓａ（２５５）をメモリ５８に供給し、階調ｋと対応付けて、補正階調テーブルとしてメモリ５８に格納する。
【０１６１】
補正階調電圧Ｖｇｓａ（０）〜Ｖｇｓａ（２５５）の値がメモリ５８に格納されると、補正電圧導出動作を終了する。
【０１６２】
補正電圧導出動作を終了すると、次に、表示動作を開始する。
【０１６３】
まず、システムコントローラ６は、図示せぬ垂直同期信号に応答して、セレクトドライバ３に、図２（Ａ）〜２（Ｄ）に示すように、走査信号を出力させ、電源ドライバ４に図２（Ｅ）に示すように、電圧信号を出力させる。
【０１６４】
また、システムコントローラ６は、データドライバ５に書き込み動作を実行させるための制御信号を出力する。
【０１６５】
この制御信号に応答して、シフトレジスタ回路５０は、シフト信号をデータレジスタ回路５１に供給し、データレジスタ回路５１は、シフト信号に応答して、画像データＤ１〜Ｄｍを順次取り込んでシフトする。シフトレジスタ回路５０が、１行分のデータを格納すると、データラッチ回路５２が、これを保持する。
【０１６６】
補正演算部５３は、データラッチ回路５２に保持されている画像データＤ１〜Ｄｍを読み出して、画像データに対応した補正階調電圧を、メモリ５８に格納されている補正階調電圧テーブルを参照して取得して、各補正階調電圧Ｖｇｓａを電圧データＤＶ１〜ＤＶｍとしてＤＡＣ５４に出力する。
【０１６７】
ＤＡＣ５４は、電圧デ−タＤＶ１〜ＤＶｍをアナログ電圧に変換し、出力回路５５は、アナログ電圧に対応する電圧を各データラインＬｄ１〜Ｌｄｍに印加する。これにより、走査信号によって選択状態にある表示画素２０（１，１）〜２０（１，ｍ）に補正階調電圧Ｖｇｓａに対応する電圧を印加する。
【０１６８】
これにより、表示画素２０（１，１）〜２０（１，ｍ）について、有機ＥＬ表示装置１の工場出荷時における発光輝度と同等な発光輝度での表示がなされることとなる。
【０１６９】
以後同様の動作を、第２行、第３行．．．第ｎ−１行の表示画素２０（２，１）〜２０（２，ｍ）、２０（３，１）〜２０（３，ｍ）、，，，２０（ｎ−１，１）〜２０（ｎ−１，ｍ）について実行する。
【０１７０】
これにより、表示画素２０（１，１）〜２０（ｎ−１，ｍ）について有機ＥＬ表示装置１の工場出荷時における発光輝度と同等な輝度での表示がなされることとなる。
【０１７１】
＜第４の実施形態＞
第３実施形態では、第１実施形態と同様に、全表示画素２０に対して共通の補正階調電圧Ｖｇｓａを使用する構成としたが、第２実施形態と同様に、表示領域の列毎に補正階調電圧を求めて、列毎に発光輝度の補正を行うようにしてもよい。
この場合には、工場出荷段階で、各ダミー画素２１のトランジスタＴ２２の電流増幅率β０と閾値電圧Ｖｔｈ０とを任意の手法で測定し、メモリ５８に記憶させておく。
その後、任意のタイミング（例えば、電源立ち上げ時、表示フレーム毎に）で、各ダミー画素２１のトランジスタＴ２２を流れる第１及び第２の検定電流Ｉｂ１，Ｉｂ２を測定し、列毎の補正階調電圧Ｖｇｓａを求める。
【０１７２】
＜第５の実施形態＞
第１の実施形態〜第４実施形態では第ｎ行に行方向に沿ってダミー画素２１を配置したが、ダミー画素２１の配置位置は視認されない場所又は視認され難い場所であれば任意であり、例えば、第１行にダミー画素２１を配置してもよい。
第５の実施形態は、ダミー画素２１を第１行の行方向に配置したものである。
この場合、第１行目にダミー画素２１（１，１）〜２１（１，ｍ）を配置し、第２行目〜第ｎ行目に表示画素２０（２，１）〜２０（ｎ，ｍ）を配置する。
【０１７３】
本実施形態における有機ＥＬ表示装置１の表示動作における動作は上記各実施形態における動作と同じである。また、初期電流取得動作時及び補正電圧導出動作時におけるセレクトドライバ３、電源ドライバ４及びデータドライバ５の動作は上記各実施形態における動作と基本的に同様である。ただし、初期電流取得動作時及び補正電圧導出動作時において、セレクトドライバ３は第１行目のダミー画素２１（１，１）〜２１（１，ｍ）を選択し、電源ドライバ４は電源ラインＬｖ１に電源電圧Ｖｃｃを印加するように制御される点が相違する。
【０１７４】
＜第６の実施形態＞
第１の実施形態〜第５の実施形態では、行方向に沿ってダミー画素２１を配置したが、ダミー画素２１の配置位置は視認されない場所又は視認され難い場所であれば任意であり、例えば、ダミー画素を列方向に配置してもよい。
第６の実施形態は、ダミー画素２１を第１列の列方向に配置したものである。
【０１７５】
本実施形態における表示パネル２は、図１０に示すように、１列目に配置されたｎ行１列のダミー画素２１（１，１）〜２１（ｎ，１）と、ｎ行ｍ−１列のマトリクス状に配置された表示画素（発光画素）２０（１，２）〜２０（ｎ，ｍ）と、行方向（図１０の左右方向）に延び、列方向に配列されている複数のセレクトライン（選択ライン）Ｌｓ１〜Ｌｓｎおよび電源ラインＬｖ１〜Ｌｖｎと、列方向（図１０の上下方向）に延び、行方向に配列されている複数のデータラインＬｄ１〜Ｌｄｍとを有している。
【０１７６】
表示画素２０（ｉ，ｊ）（ｉ＝１〜ｎ，ｊ＝２〜ｍ）およびダミー画素２１（ｉ，１）（ｉ＝１〜ｎ）は、セレクトラインＬｓｉとデータラインＬｄｊの交点の近傍に配置され、同一行のセレクトラインＬｓｉと電源ラインＬｖｉと同一列のデータラインＬｄｊに接続されている。
【０１７７】
なお、フィードバックラインＬｆｂは、第１の実施形態〜第４の実施形態では、行方向に延びていたが、本実施形態では、列方向（図１０の上下方向）に延びている。
【０１７８】
次に、上記構成を有する有機ＥＬ表示装置１の動作を説明する。
本実施形態においても、動作は、初動電流測定動作、補正階調電圧導出動作、表示動作に大別される。
【０１７９】
まず、初動電流測定動作について、図１１、図１２を参照して説明する。
有機ＥＬ表示装置１の電源立ち上げ後、セレクトドライバ３は、図１２（Ａ）に示すように、ダミー画素２１（１，１）〜２１（ｎ，１）を選択するために、セレクトラインＬｓ１〜Ｌｓｎに高電位のハイレベル電圧Ｖｈｉｇｈを印加する。
【０１８０】
電源ドライバ４は、図１２（Ｃ）に示すように、全ての電源ラインＬｖ１〜Ｌｖｎに電源電圧Ｖｃｃを印加する。
【０１８１】
データドライバ５は、図１２（Ｂ）に示すように、所定の電圧印加期間ｔｄ５の間、データラインＬｄ１に第１設定電圧Ｖｓ１を印加する。なお、電圧印加期間ｔｄ５は、ｎ個のダミー画素２１を流れる第１初動電流Ｉａ１の測定に必要な時間に設定される。
【０１８２】
これにより、第１列目の全ダミー画素２１（１，１）〜２１（ｎ，１）のトランジスタＴ２１がオンし、全ダミー画素２１（１，１）〜２１（ｎ，１）のトランジスタＴ２１のゲートに第１設定電圧Ｖｓ１が印加されて、第１列目のダミー画素２１（１，１）〜２１（ｎ，１）のトランジスタＴ２２がオンする。そして、全ダミー画素２１（１，１）〜２１（ｎ，１）のトランジスタＴ２２のドレイン−ソース間に、ゲート−ソース間の電圧Ｖｄ１（＝Ｖｓ１−Ｖｃｏｍ）に対応する電流が流れる。
【０１８３】
電流計７を流れる電流は、第１列目にあるｎ個のダミー画素２１（１，１）〜２１（ｎ，１）を流れる電流の総和である第１初動電流Ｉａ１となる。
【０１８４】
この第１初動電流Ｉａ１は電流計７により測定され、測定値がＡＤＣ５６に供給される。
【０１８５】
ＡＤＣ５６は、第１初動電流Ｉａ１をデジタルデータに変換し、補正階調電圧導出部５７に供給する。
【０１８６】
補正階調電圧導出部５７は、第１初動電流Ｉａ１の値をメモリ５８に供給し、メモリ５８は初動電流Ｉａの値を格納する。
【０１８７】
次に、システムコントローラ６は、図１２（Ｂ）に示すように、所定の電圧印加期間ｔｄ６の間、データラインＬｄ１に第２設定電圧Ｖｓ２を印加するように制御する。なお、電圧印加期間ｔｄ６は、ｎ個のダミー画素２１を流れる第２初動電流Ｉａ２の測定に必要な時間に設定される。
【０１８８】
これにより、第１列目のダミー画素２１（１，１）〜２１（ｎ，１）のトランジスタＴ２１がオンし、全ダミー画素２１（１，１）〜２１（ｎ，１）のトランジスタＴ２２のゲート−ソース間の電圧はＶｄ２（＝Ｖｓ２−Ｖｃｏｍ）になり、全ダミー画素２１（１，１）〜２１（ｎ，１）のトランジスタＴ２２のドレイン−ソース間に、ゲート−ソース間の電圧Ｖｄ２に対応する電流が流れる。
【０１８９】
電流計７を流れる電流は、第１列目にあるｎ個のダミー画素２１（１，１）〜２１（ｎ，１）を流れる電流の総和である第２初動電流Ｉａ２となる。
【０１９０】
この第２初動電流Ｉａ２は電流計７により測定され、測定値がＡＤＣ５６に供給される。
【０１９１】
ＡＤＣ５６は、第２初動電流Ｉａ２をデジタルデータに変換し、補正階調電圧導出部５７に供給する。
【０１９２】
補正階調電圧導出部５７は、第２初動電流Ｉａ２の値をメモリ５８に供給し、メモリ５８は第２初動電流Ｉａ２の値を格納する。
【０１９３】
第２初動電流Ｉａ２の値がメモリ５８に格納されると、初動電流測定動作を終了する。
【０１９４】
初動電流測定工程を終了すると、次に、補正電圧導出動作と表示動作とを実行する。
【０１９５】
ここでも、理解を容易にするため、１表示フレーム毎に、補正電圧導出動作を行って補正階調電圧Ｖｇｓａを導出し、導出した補正階調電圧Ｖｇｓａを用いて次のフレームの表示画像の書き込みを行う例を説明する。
【０１９６】
まず、各表示フレームで、第１行〜第ｎ行の表示画素２０（１，２）〜２０（ｎ、ｍ）への書き込み動作終了後、補正階調電圧導出動作を実行する。
即ち、初動電流測定動作と同様の処理により、図１２（Ａ）〜図１２（Ｃ）に示すように、セレクトラインＬｓ１〜Ｌｓｎに高電位のハイレベル電圧Ｖｈｉｇｈを印加し、全ての電源ラインＬｖ１〜Ｌｖｎに電源電圧Ｖｃｃを印加し、データラインＬｄ１に第１設定電圧Ｖｓ１を印加する。
【０１９７】
これにより、図１１に示すように、第１列目にあるｎ個のダミー画素２１（１，１）〜２１（ｎ，１）を流れる電流の総和を電流計７で測定し第１検定電流Ｉｂ１とする。ＡＤＣ５６は、第１検定電流Ｉｂ１をデジタルデータに変換し、補正階調電圧導出部５７に供給し、メモリ５８は第１検定電流Ｉｂ１の値を格納する。
【０１９８】
次に、システムコントローラ６は、データドライバ５を制御して、図１２（Ｂ）に示すように、データラインＬｄ１に第２設定電圧Ｖｓ２を印加する。
【０１９９】
これにより、図１１に示すように、第１列目にあるｎ個のダミー画素２１（１，１）〜２１（ｎ，１）を流れる電流の総和を電流計７で測定し第２検定電流Ｉｂ２とする。ＡＤＣ５６は、第２検定電流Ｉｂ２をデジタルデータに変換し、補正階調電圧導出部５７に供給する。
【０２００】
補正階調電圧導出部５７は、図４（Ａ）に示す階調電圧テーブルを参照して各階調数の階調電圧Ｖｇｓ（ｋ）を取得し、また、メモリ５８から第１初動電流Ｉａ１、第２初動電流Ｉａ２、第１検定電流Ｉｂ１を読み出し、式（２）〜（６）による演算を行って、補正階調電圧Ｖｇｓａ（０）〜Ｖｇｓａ（２５５）を導出する。
【０２０１】
補正階調電圧導出部５７は、導出した補正階調電圧Ｖｇｓａ（０）〜Ｖｇｓａ（２５５）をメモリ５８に供給し、階調ｋと対応付けて、図４（Ｂ）に示す補正階調テーブルとしてメモリ５８に格納する。
【０２０２】
補正階調電圧Ｖｇｓａ（０）〜Ｖｇｓａ（２５５）の値がメモリ５８に格納されると、補正電圧導出動作を終了する。
【０２０３】
続いて、次フレームの書き込み動作（表示動作）が開始されて、画像データＤ１〜Ｄｍが行単位で順次供給され、データラッチ回路５２に格納される。
【０２０４】
補正演算部５３は、データラッチ回路５２に保持されている画像データＤ１〜Ｄｍを読み出して、画像データに応じた補正階調電圧をメモリ５８に格納されている補正階調電圧テーブルを参照して取得して、各補正階調電圧Ｖｇｓａを電圧データＤＶ１〜ＤＶｍとしてＤＡＣ５４に出力する。
【０２０５】
ＤＡＣ５４は、電圧デ−タＤＶ１〜ＤＶｍをアナログ電圧に変換し、出力回路５５は、アナログ電圧に相当する電圧を各データラインＬｄ１〜Ｌｄｍに印加する。これにより、走査信号によって選択状態にある表示画素２０（１，２）〜２０（１，ｍ）に補正階調電圧Ｖｇｓａに対応する電圧を印加する。
【０２０６】
以後同様の動作を、第２行、第３行．．．第ｎ行の表示画素２０（２，２）〜２０（２，ｍ）、２０（３，２）〜２０（３，ｍ）、，，，２０（ｎ，２）〜２０（ｎ，ｍ）について実行する。
【０２０７】
これにより、表示画素２０（１，２）〜２０（ｎ，ｍ）について有機ＥＬ表示装置１の電源立ち上げ時における発光輝度での表示がなされる。
【０２０８】
＜第７の実施形態＞
第６実施形態では、全ての表示画素２０（１，２）〜２０（ｎ，ｍ）に対して共通の補正階調電圧Ｖｇｓａを使用する構成としたが、表示領域内の場所によって温度が異なる温度分布が発生し、有機ＥＬ素子のＯＥＬの発光輝度が表示領域内の場所によってばらつくことがある。そこで、表示領域内の場所毎に最適な補正階調電圧Ｖｇｓａを使用するようすることが好ましく、第７の実施形態はこれに対応して、表示領域の行毎に補正階調電圧を求めて、行毎に発光輝度の補正を行うようにしたものである。
本実施形態における有機ＥＬ表示装置１は、第６の実施形態における有機ＥＬ表示装置１と回路構成は同一であり、制御動作が異なるものである。以下、その動作を説明する。
【０２０９】
まず、初動電流測定動作について図１３、図１４を参照して説明する。
【０２１０】
セレクトドライバ３は、図１４（Ａ）に示すように、第１行のダミー画素２１（１，１）を選択するために、所定の選択期間ｔｍ４の間、セレクトラインＬｓ１に高電位のハイレベル電圧Ｖｈｉｇｈを印加し、図４（Ｂ）〜（Ｄ）に示すように、他のセレクトラインＬｓ２〜Ｌｓｎ−１に低電位のロウレベル電圧Ｖｌｏｗを印加する。
【０２１１】
電源ドライバ４は、図１４（Ｆ）に示すように、全ての電源ラインＬｖ１〜Ｌｖｎ−１に電源電圧Ｖｃｃを印加する。
【０２１２】
データドライバ５は、図１４（Ｅ）に示すように、所定の電圧印加期間ｔｄ７の間、データラインＬｄ１に第１設定電圧Ｖｓ１を印加する。ここで、電圧印加期間ｔｄ７は、１個のダミー画素２１に対する電流計７による第１初動電流Ｉａ１（１）の測定に必要な時間に設定される。
【０２１３】
これにより、第１行第１列のダミー画素２１（１，１）のトランジスタＴ２１がオンし、トランジスタＴ２２のゲート−ソース間の電圧Ｖｄ１（＝Ｖｓ１−Ｖｃｏｍ）に対応する電流が、トランジスタＴ２２のドレイン−ソース間に電流が流れる。
【０２１４】
電流計７は、ダミー画素２１（１，１）に流れる電流を測定する。そして、補正階調電圧導出部５７は、ダミー画素２１（１，１）のトランジスタＴ２２のドレイン−ソース間に流れる電流の電流値を、第１初動電流Ｉａ１（１）として取得する。
【０２１５】
電流計７により測定された第１初動電流Ｉａ１（１）の測定値は、ＡＤＣ５６によりデジタルデータに変換され、補正階調電圧導出部５７に供給される。
【０２１６】
補正階調電圧導出部５７は、第１初動電流Ｉａ１（１）についてのデジタルデータをメモリ５８に格納する。
【０２１７】
次に、データドライバ５は、図１４（Ｅ）に示すように、所定の電圧印加期間ｔｄ８の間、データラインＬｄ１に第１設定電圧Ｖｓ２を印加する。ここで、電圧印加期間ｔｄ８は、１個のダミー画素２１に対する電流計７による第２初動電流Ｉａ２（１）の測定に必要な時間に設定される。
【０２１８】
電流計７は、ダミー画素２１（１，１）に流れる電流を測定する。そして、補正階調電圧導出部５７は、ダミー画素２１（１，１）のトランジスタＴ２２のドレイン−ソース間に流れる電流の電流値を、第２初動電流Ｉａ２（１）として取得する。
【０２１９】
電流計７により測定された第２初動電流Ｉａ２（１）の測定値は、ＡＤＣ５６によりデジタルデータに変換され、補正階調電圧導出部５７に供給される。
【０２２０】
補正階調電圧導出部５７は、第２初動電流Ｉａ２（１）についてのデジタルデータをメモリ５８に格納する。
【０２２１】
続いて、第２行、第３行、．．．第ｎ行のダミー画素２１（２，１）、２１（３，１）．．．２１（ｎ，１）に対して同様の動作を実行して、全てのダミー画素２１（１，１）〜２１（ｎ，１）に対応した第１初動電流Ｉａ１（１）〜Ｉａ１（ｎ）および第２初動電流Ｉａ２（１）〜Ｉａ２（ｎ）を測定し、メモリ５８に格納する。
【０２２２】
全ての第１初動電流Ｉａ１（１）〜Ｉａ１（ｎ）および第２初動電流Ｉａ２（１）〜Ｉａ２（ｎ）がメモリ５８に格納されると、初動電流測定動作を終了する。
【０２２３】
初動電流測定工程を終了した後、表示フレーム単位に、補正電圧導出動作と表示動作を実行する。
【０２２４】
まず、初動電流測定動作と同様の処理により、第１行、第２行、．．．第ｎ行のダミー画素２１（１，１）、２１（２，１）．．．２１（ｎ，１）に流れる第１検定電流Ｉｂ１（１）、Ｉｂ１（２）．．．Ｉｂ１（ｎ）を測定し、メモリ５８に供給して格納する。
【０２２５】
次に、第１行、第２行、．．．第ｎ行のダミー画素２１（１，１）、２１（２，１）．．．２１（ｎ，１）に流れる第２検定電流Ｉｂ２（１）、Ｉｂ２（２）．．．Ｉｂ２（ｎ）を測定し、補正階調電圧導出部５７に供給する。
【０２２６】
補正階調電圧導出部５７は、第２検定電流Ｉｂ２（１）〜Ｉｂ２（ｎ）とメモリ５８に格納されている第１初動電流Ｉａ１（１）〜Ｉａ１（ｎ）と第２初動電流Ｉａ２（１）〜Ｉａ２（ｎ）と第１検定電流Ｉｂ１（１）〜Ｉｂ１（ｎ）とに基づいて、以下の演算を行って使用開始時の閾値電圧Ｖｔｈ０（ｊ）と電流増幅率β０（ｊ）を導出する。
【数１１】
2012141456.tif 000013
【数１２】
2012141456.tif 000014
【０２２７】
また、トランジスタＴ２２の、使用開始後（現時点）での閾値電圧Ｖｔｈ１（ｊ）と電流増幅率β１（ｊ）は、第１検定電流Ｉｂ１（ｊ）、第２検定電流Ｉｂ２（ｊ）、それらを測定したときのゲート−ソース間電圧Ｖｄ１，Ｖｄ２を用いて、（１４）、（１５）式で表される。
【数１３】
2012141456.tif 000015
【数１４】
2012141456.tif 000016
【０２２８】
補正階調電圧導出部５７は、式（１２）〜（１５）による演算を行った後、図４（Ｂ）に示す階調電圧テーブルを参照して階調電圧Ｖｇｓ（ｋ）を取得し、その後、以下の式（１６）による演算を行って、補正階調電圧Ｖｇｓａ（ｊ，ｋ）を導出する。
【数１５】
2012141456.tif 000017
【０２２９】
補正階調電圧導出部５７は、導出した補正階調電圧Ｖｇｓａ（１，０）〜Ｖｇｓａ（ｎ，２５５）をメモリ５８に供給し、階調ｋと対応付けて、補正階調テーブルとしてメモリ５８に格納する。
【０２３０】
なお、本実施形態における補正階調テーブルは、図４（Ｂ）に示されているテーブルに、階調毎に１列目からｎ列目まで補正階調電圧Ｖｇｓａ（１，０）〜Ｖｇｓａ（ｎ，２５５）の各値が配列されたテーブルである。
【０２３１】
補正階調電圧Ｖｇｓａ（１，０）〜Ｖｇｓａ（ｎ，２５５）の値がメモリ５８に格納されると、補正電圧導出動作を終了する。
【０２３２】
次いで、取得した補正階調電圧Ｖｇｓａを用いた補正を行って次フレームの画像の書き込みを行う。
【０２３３】
補正演算部５３は、画像データに対応した補正階調電圧を、メモリ５８に格納されている補正階調電圧テーブルを参照して取得して、各補正階調電圧Ｖｇｓａを電圧データＤＶ１〜ＤＶｍとしてＤＡＣ５４に出力する。
【０２３４】
ＤＡＣ５４は、電圧デ−タＤＶ１〜ＤＶｍをアナログ電圧に変換し、出力回路５５は、アナログ電圧に対応する電圧を各データラインＬｄ２〜Ｌｄｍに印加する。これにより、走査信号によって選択状態にある表示画素２０（１，２）〜２０（１，ｍ）に補正階調電圧Ｖｇｓａに対応する電圧を印加する。
【０２３５】
以後同様の動作を、第２行、第３行．．．第ｎ行の表示画素２０（２，２）〜２０（２，ｍ）、２０（３，２）〜２０（３，ｍ）、，，，２０（ｎ，２）〜２０（ｎ，ｍ）について実行する。
【０２３６】
なお、第２行で使用する補正階調電圧は、対応する行の補正階調電圧Ｖｇｓａ（２，ｋ）を用い、以下同様に、第ｎ行で使用する補正階調電圧は、対応する行の補正階調電圧Ｖｇｓａ（ｎ，ｋ）を用いる。
【０２３７】
これにより、表示画素２０（１，２）〜２０（ｎ，ｍ）について有機ＥＬ表示装置１の電源立ち上げ時における発光輝度と同等の発光輝度での表示がなされる。
【０２３８】
＜第８の実施形態＞
第３実施形態と同様に、補正階調電圧導出部５７が、有機ＥＬ表示装置１の工場出荷時におけるダミー画素２１のトランジスタＴ２２の特性値であるβおよびＶｔｈの初期値を記憶し、補正階調電圧Ｖｇｓａを求めることで、有機ＥＬ表示装置１が、工場出荷時と同様の輝度で発光可能となる実施形態とすることができる。
【０２３９】
この場合の動作を、図１１、図１２を参照して説明する。
【０２４０】
まず、セレクトドライバ３は、図１２（Ａ）に示すように、セレクトラインＬｓ１〜Ｌｓｎに高電位のハイレベル電圧Ｖｈｉｇｈを印加する。電源ドライバ４は、図１２（Ｃ）に示すように、全ての電源ラインＬｖ１〜Ｌｖｎに電源電圧Ｖｃｃを印加する。データドライバ５は、図１２（Ｂ）に示すように、データラインＬｄ１に第１設定電圧Ｖｓ１を印加する。
【０２４１】
これにより、図１１に示すように、第１列目にあるｎ個のダミー画素２１（１，１）〜２１（ｎ，１）を流れる電流の総和を電流計７で測定して第１検定電流Ｉｂ１とする。ＡＤＣ５６は、第１検定電流Ｉｂ１をデジタルデータに変換し、補正階調電圧導出部５７に供給し、メモリ５８は、第１検定電流Ｉｂ１の値を格納する。
【０２４２】
次に、データドライバ５は、データラインＬｄ１に第２設定電圧Ｖｓ２を印加する。
【０２４３】
これにより、図１１に示すように、第１列目にあるｎ個のダミー画素２１（１，１）〜２１（ｎ，１）を流れる電流の総和を電流計７で測定して第２検定電流Ｉｂ２とする。ＡＤＣ５６は、第２検定電流Ｉｂ２をデジタルデータに変換し、補正階調電圧導出部５７に供給する。
【０２４４】
なお、メモリ５８は、有機ＥＬ表示装置１の工場出荷時におけるダミー画素２１のトランジスタＴ２２の特性値である電流増幅率βおよび閾値電圧Ｖｔｈの初期値であるβ０およびＶｔｈ０を記憶し、また、階調電圧テーブルを有している。
階調電圧テーブルは、例えば図４（Ｂ）に示すような、画像データの階調数とデータドライバ５が印加すべき階調電圧Ｖｇｓとの関係を記憶している。
【０２４５】
補正階調電圧導出部５７は、第２検定電流Ｉｂ２の値が供給されると、式（３）及び（５）による演算を行い、その後、式（６）による演算を行って補正階調電圧Ｖｇｓａ（０）〜Ｖｇｓａ（２５５）を導出する。
補正階調電圧導出部５７は、導出した補正階調電圧Ｖｇｓａ（０）〜Ｖｇｓａ（２５５）をメモリ５８に供給し、階調ｋと対応付けて、補正階調テーブルとしてメモリ５８に格納する。
【０２４６】
補正階調電圧Ｖｇｓａ（０）〜Ｖｇｓａ（２５５）の値がメモリ５８に格納されると、補正電圧導出動作を終了する。
【０２４７】
続いて、次フレームの書き込み動作（表示動作）を開始する。
まず、システムコントローラ６は、図示せぬ垂直同期信号に応答して、セレクトドライバ３に、図９（Ａ）〜（Ｅ）に示すように、走査信号を出力させ、電源ドライバ４に図８（Ｆ）に示すように、電圧信号を出力させる。
【０２４８】
また、システムコントローラ６は、データドライバ５に書き込み動作を実行させるための制御信号を出力する。
【０２４９】
この制御信号に応答して、シフトレジスタ回路５０は、シフト信号をデータレジスタ回路５１に供給し、データレジスタ回路５１は、シフトレジスタ回路５０から供給されるシフト信号に応答して、画像データＤ２〜Ｄｍを順次取り込んでシフトし、１行分のデータが格納されると、データラッチ回路５２が、これをラッチして保持する。
【０２５０】
補正演算部５３は、データラッチ回路５２に保持されている画像データＤ２〜Ｄｍを読み出し、画像データに応じた補正階調電圧をメモリ５８に格納されている補正階調電圧テーブルを参照して取得して、補正電圧デ−タをＤＡＣ５４に出力する。
【０２５１】
ＤＡＣ５４は、補正演算部５３が出力した補正電圧デ−タをアナログ電圧に変換し、出力回路５５は、アナログ電圧に対応する電圧を各データラインＬｄ２〜Ｌｄｍに印加する。これにより、走査信号によって選択状態にある表示画素２０（１，２）〜２０（１，ｍ）に補正階調電圧に対応する電圧を印加する。
【０２５２】
以後同様の動作を、第２行、第３行．．．第ｎ行の表示画素２０（２，２）〜２０（２，ｍ）、２０（３，２）〜２０（３，ｍ）、，，，２０（ｎ，２）〜２０（ｎ，ｍ）について実行する。
【０２５３】
＜第９の実施形態＞
第８実施形態では、全表示画素２０に対して共通の補正階調電圧Ｖｇｓａを使用する構成としたが、第７の実施形態と同様に、表示領域の行毎に補正階調電圧を求めて、行毎に発光輝度の補正を行うようにしてもよい。
この場合には、工場出荷段階で、各ダミー画素２１のトランジスタＴ２２の電流増幅率β０と閾値電圧Ｖｔｈ０とを任意の手法で測定し、メモリ５８に記憶させておく。
その後、任意のタイミング（例えば、電源立ち上げ時、表示フレーム毎に）で、各ダミー画素２１のトランジスタＴ２２を流れる第１及び第２の検定電流Ｉｂ１（１）〜Ｉｂ１（ｎ），Ｉｂ２（１）〜Ｉｂ２（ｎ）を測定し、行毎の補正階調電圧Ｖｇｓａを求める。
【０２５４】
＜変形例＞
ダミー画素の配置は視認されない場所又は視認され難い場所であれば任意であり、上記各実施形態において示した配置に限るものではない。例えば、ダミー画素を第ｍ列に配置してもよい。また、ダミー画素を第１行と第ｎ行の両方、あるいは、第１列と第ｍ列の両方に配置してもよい。更に、表示領域の周囲の第１行、第ｎ行、第１列及び第ｍ列に配置してもよい。この場合、例えば第２の実施形態と第７の実施形態を組み合わせて実行することにより、行方向と列方向の両方の温度分布に対する補正を行うことができて、より適切な補正を行うことができ、より高品質の画像が表示できる。
【０２５５】
また、上記各実施形態では、ダミー画素は１行又は１列に配列されるものとしたが、これに限るものではなく、例えば２行または２列等の複数行又は複数列に配列されるものであってもよい。この場合、例えば、1行目又は１列目に配列されたダミー画素を用いて第１の実施形態又は第６の実施形態の処理を実行し、２行目又は２列目に配列されたダミー画素を用いて第３の実施形態又は第８の実施形態の処理を並行して実行するようにしてもよい。
【０２５６】
また、上記各実施の形態において、画素駆動回路２０，２１の特性値として、電流駆動トランジスタＴ２２の電流増幅率βと閾値電圧Ｖｔｈを使用したが、他の特性値を使用することも可能である。
【０２５７】
また、上記実施形態では、発光素子を有機ＥＬ素子として説明した。しかし、発光素子は、有機ＥＬ素子に限られるものではなく、例えば、無機ＥＬ素子又はＬＥＤであってもよい。
【０２５８】
更に、表示装置の回路構成、動作手順などは適宜変更可能である。また、全表示フレームにおいて、補正階調電圧導出動作を行う例を中心に説明したが、例えば、タイマを配置し、一定周期で行ったり、ランダムに行ったり、無操作時等で情報処理部がアイドル状態となった場合に実行するようにしてもよい。
【０２５９】
＜電子機器の適用例＞
次に、上述した各実施形態に係る有機ＥＬ表示装置を適用した電子機器について図面を参照して説明する。
【０２６０】
上述した各実施形態に示した有機ＥＬ表示装置１は、例えばデジタルカメラ、パーソナルコンピュータ、携帯電話機等、種々の電子機器の表示デバイスとして良好に適用できるものである。
【０２６１】
図１５は、本発明に係る有機ＥＬ表示装置を適用したデジタルカメラの構成例を示す斜視図であり、図１６は、本発明に係る有機ＥＬ表示装置を適用したパーソナルコンピュータの構成例を示す斜視図であり、図１７は、本発明に係る有機ＥＬ表示装置を適用した携帯電話機の構成例を示す斜視図である。
【０２６２】
図１５において、デジタルカメラ２００は、図１５（Ａ）及び（Ｂ）に示すように、レンズ部２０１と操作部２０２と表示部２０３とファインダー２０４とを備える。この表示部２０３に上記各実施形態に示した有機ＥＬ表示装置１が適用される。これによれば、表示部２０３において、画像データに応じた適切な輝度で発光動作させることができ、画質を向上させることができる。
【０２６３】
図１６において、パーソナルコンピュータ２１０は、表示部２１１と操作部２１２とを備え、この表示部２１１に上記各実施形態に示した有機ＥＬ表示装置１が適用される。これによれば、表示部２１１において、画像データに応じた適切な輝度で発光動作させることができ、画質を向上させることができる。
【０２６４】
図１７に示す携帯電話機２２０は、表示部２２１と、操作部２２２と、受話部２２３と送話部２２４とを備え、この表示部２２１に発光装置１０上記各実施形態に示した有機ＥＬ表示装置１が適用される。これによれば、表示部２２１において、画像データに応じた適切な輝度で発光動作させることができ、画質を向上させることができる。
なお、上述した各実施形態においては、有機ＥＬ表示装置が、複数の画素が二次元配列された表示パネルを備えて構成される場合について詳しく説明したが、本発明はこれに限定されるものではない。本発明に係る構成を、例えば発光素子を有する複数の画素が一方向に配列された発光素子アレイを備えて、感光体ドラムに画像データに応じて発光素子アレイから出射した光を照射して露光する露光装置に適用するものであってもよい。
【符号の説明】
【０２６５】
１…有機ＥＬ表示装置、２…表示パネル、３…セレクトドライバ、４…電源ドライバ、５…データドライバ、６…システムコントローラ、７…電流計、２０…表示画素、２１…ダミー画素、５０…シフトレジスタ回路、５１…データレジスタ回路、５２…データラッチ回路、５３…補正演算部、５４…デジタル電圧／アナログ電圧変換回路（ＤＡＣ）、５５…出力回路、５６…アナログ電圧／デジタル電圧変換回路（ＡＤＣ）、５７…補正階調電圧導出部、５８…メモリ、２００…デジタルカメラ、２０１…レンズ部、２０２…操作部、２０３…表示部、２０４…ファインダー、２１０…パーソナルコンピュータ、２１１…表示部、２１２…操作部、２２０…携帯電話機、２２１…表示部、２２２…操作部、２２３…受話部、２２４…送話部
【図１】
2012141456.tif 000018
【図２】
2012141456.tif 000019
【図３】
2012141456.tif 000020
【図４】
2012141456.tif 000021
【図５】
2012141456.tif 000022
【図６】
2012141456.tif 000023
【図７】
2012141456.tif 000024
【図８】
2012141456.tif 000025
【図９】
2012141456.tif 000026
【図１０】
2012141456.tif 000027
【図１１】
2012141456.tif 000028
【図１２】
2012141456.tif 000029
【図１３】
2012141456.tif 000030
【図１４】
2012141456.tif 000031
【図１５】
2012141456.tif 000032
【図１６】
2012141456.tif 000033
【図１７】
2012141456.tif 000034